(57)【要約】【課題】スロットマシン等の遊技機に関し、役物の振動中に、振動周期に関連付けて光源を点滅させ、振動中の役物の振動状態の一部を遊技者に視認可能とすることで、役物の振動周期を変えることなく、多様な演出を遊技者に見せることを課題とする。【解決手段】役物装置(90)は、往復動可能な移動体(730)と、移動体(730)に弾性部材(710)を介して振動可能に連結された役物（例えば役物本体510）と、役物（例えば役物本体510）を照明可能な光源（例えば上側光源820及び下側光源830）と、を備え、移動体(730)を往復動させることで、弾性部材(710)を介して役物（例えば役物本体510）を振動させるとともに、役物（例えば役物本体510）の振動中に、振動周期に関連付けて光源（例えば上側光源820及び下側光源830）を点滅させることで、振動中の役物（例えば役物本体510）の振動状態の一部を遊技者に視認可能としている。【選択図】図８
2017131513.tif 000002
【特許請求の範囲】
【請求項１】
遊技機の筐体の前面に取り付けられ、前記遊技機による遊技の進行に連動して機械的な動きする役物装置を備えた遊技機において、
前記役物装置は、
往復動可能な移動体と、
前記移動体に弾性部材を介して振動可能に連結された役物と、
前記役物を照明可能な光源と、を備え、
前記移動体を往復動させることで、前記弾性部材を介して前記役物を振動させるとともに、
前記役物の振動中に、振動周期に関連付けて前記光源を点滅させることで、振動中の前記役物の振動状態の一部を遊技者に視認可能としている、ことを特徴とする遊技機。
【請求項２】
前記移動体の移動方向と、前記役物の振動方向で同じベクトル成分と、異なるベクトル成分を持たせた、ことを特徴とする請求項１に記載の遊技機。
【請求項３】
前記光源の前方には、
当該光源から照射された照射光を前記役物に向かって反射可能な反射部を配置し、前記役物の振動状態の一部を遊技者に視認可能とする演出は、前記役物装置内の光源のうち、前記反射部を照射する光源のみを点滅することで実現するようにしている、ことを特徴とする請求項１又は請求項２に記載の遊技機。
【請求項４】
前記役物は、
前記筐体の前面から前方に突出し、外部の光を反射可能に配置されている、ことを特徴とする請求項１〜３のいずれか１項に記載の遊技機。
【請求項５】
前記遊技機には、
前記光源の点滅タイミングを制御する照明制御手段を備え、
前記照明制御手段は、
前記役物が振動中の特定位置にあるときに光源が点灯するように点滅周期を制御することで、見かけ上の新しい振動周期による演出を遊技者に視認可能とする
ようにしている、ことを特徴とする請求項１〜４のいずれか１項に記載の遊技機。
【請求項６】
前記役物装置内に入射される外部光により、振動中の前記役物の振動状態の全部が遊技者から見えるようにし、
前記役物装置の周囲を遊技者が遮光し、前記役物装置内に入射される外部光を減光できるようにし、
遊技者が意図的に遮光することで、振動中の前記役物の振動状態の一部のみを遊技者に視認可能とすることにより、前記光源により作り出された見かけ上の新しい振動周期による演出を遊技者が視認できるようにしている、ことを特徴とする請求項５に記載の遊技機。
【請求項７】
前記遊技機には、
前記光源の点滅タイミングを制御する照明制御手段を備え、
前記照明制御手段は、
前記役物の振動の半周期の整数倍の周期で前記光源の点滅を実行する第１照明制御と、
前記役物の振動の半周期の非整数倍の周期で前記光源の点滅を実行する第２照明制御とが実行可能である、ことを特徴とする請求項１〜６のいずれか１項に記載の遊技機。
【請求項８】
前記役物装置の周囲を遊技者が遮光できるようにし、遊技者が意図的に外部の光により前記役物を照明する外部光を遮光することで、前記光源により前記役物を照明する内部照明光による前記役物の振動状態の一部を遊技者に視認可能とする演出を遊技者が視認できるようにしている、ことを特徴とする請求項１〜７のいずれか１項に記載の遊技機。
【請求項９】
前記筐体には、前記光源とは異なる発光素子を設け、
前記発光素子を点灯させることで、前記外部光の光量を増加させることができるようにしている、ことを特徴とする請求項８に記載の遊技機。
【発明の詳細な説明】
【技術分野】
【０００１】
この発明は、スロットマシン等の遊技機に関し、役物の振動中に、振動周期に関連付けて光源を点滅させ、振動中の役物の振動状態の一部を遊技者に視認可能とすることで、役物の振動周期を変えることなく、多様な演出を遊技者に見せることができるようしたものである。
【背景技術】
【０００２】
従来、筐体である本体ケースと、本体ケース内に後方を高く斜設したハーフミラーと、本体ケースの底であってハーフミラーの背面側に配置される可動体ユニットとを備えている「遊技機用表示装置」が知られている（特許文献１の段落番号「００２８」、図３及び図８参照）。
上記可動体ユニットは、可動体の直前に斜め後方に光を照射する様に配置された照明用ＬＥＤによってライトアップされ、ハーフミラーを通して前方の遊技者に視認可能な状態となる（特許文献１の段落番号「００３２」参照）。
【０００３】
また、従来、左右にしなるように揺れる動作を繰り返す透光体と、透光体に光の線を映し出すＬＥＤとを備えた「演出装置と、それを備えた遊技機」が知られている（特許文献２の段落番号「００２９」、図４及び図５参照）。
【先行技術文献】
【特許文献】
【０００４】
【特許文献１】特開2007-89777号公報
【特許文献２】特開2004-121518号公報
【発明の概要】
【発明が解決しようとする課題】
【０００５】
しかし、上記した従来の「遊技機用表示装置」（特許文献１）の照明用ＬＥＤは点灯し、可動体ユニットをライトアップするものであり、可動体ユニットの動きと無関係に点灯するだけで、変化に乏しいという第１の問題点があった。
また、上記した従来の「演出装置と、それを備えた遊技機」のＬＥＤも点灯し、透光体に光の線を映し出すものであり、透光体の動きと無関係に点灯するだけで、変化に乏しいという第２の問題点があった。
【０００６】
本発明に係る遊技機は、上記した従来の技術の有する第１、第２の問題点に鑑みてなされたものであり、次の点を目的とする。
すなわち、本発明に係る遊技機は、役物の振動中に、振動周期に関連付けて光源を点滅させ、振動中の役物の振動状態の一部を遊技者に視認可能とすることで、役物の振動周期を変えることなく、多様な演出を遊技者に見せることができるようしたものである。
【０００７】
また、本発明に係る遊技機は、移動体の移動方向と役物の振動方向とを異ならせ、移動体を移動させることで、役物を効率良く振動させることができるようしたものである。
【０００８】
また、本発明に係る遊技機は、光源から照射された照射光を、反射部を介して役物に向かって反射させ、当該光源のみを点滅することで、光源からの照射光を役物に直接、照射する場合に比較し、光量を減光でき、振動中の役物の振動状態の一部を遊技者に視認可能とするのに適切な光量を得ることができるようにしたものである。
【０００９】
また、本発明に係る遊技機は、役物を筐体の前面から前方に突出させ、外部の光を反射可能とすることで、外部の光と光源からの照射光との２種類の光を利用し、多様な演出を遊技者に見せることができるようしたものである。
【００１０】
また、本発明に係る遊技機は、役物が振動中の特定位置にあるときに光源が点灯するように点滅周期を制御することで、見かけ上の新しい振動周期による演出を遊技者に視認可能とし、役物の振動周期を変えることなく、見かけ上の新しい振動周期による演出を遊技者に見せることができるようしたものである。
【００１１】
また、本発明に係る遊技機は、外部光により、振動中の役物の振動状態の全部が遊技者から見えるようにし、遊技者が役物装置の周囲を意図的に遮光し、光源により作り出された見かけ上の新しい振動周期による演出を遊技者が視認できるようにすることで、外部光により、振動中の役物の振動状態の全部が見える演出に加え、光源による見かけ上の新しい振動周期による演出との二種の演出を遊技者に見せることができるようしたものである。すなわち、本発明に係る遊技機によれば、周囲の他の遊技者からは光源による演出が見えず、又、遊技者が意図的に遮光した場合に限り見えるようにしているので、遊技者の参加意識を向上することができるばかりなく、遊技者に優越感を与えることができる。
【００１２】
また、本発明に係る遊技機は、役物の振動の半周期の整数倍の周期で光源の点滅を実行する第１照明制御と、非整数倍の周期で光源の点滅を実行する第２照明制御とを実行することで、光源により作り出された見かけ上の新しい振動周期を少なくとも２種類、作り出すことができるようしたものである。すなわち、本発明に係る遊技機によれば、第１照明制御により、振動中の役物が見かけ上、静止したかのように見せることができ、第２照明制御により、振動中の役物が見かけ上、ゆっくりと、すなわちスローモーション状態で振動しているように見せることができる。
【００１３】
また、本発明に係る遊技機は、役物装置の周囲を遊技者が遮光できるようにすることで、遊技者の遮光の容易化を図ることができるようしたものである。
【００１４】
また、本発明に係る遊技機は、筐体に光源とは異なる発光素子を設け、外部光の光量を増加させることで、ホール環境等の外光に依存せず、外部光による演出（振動全部）と光源による演出（振動一部）とを切り分けることができるようしたものである。
【課題を解決するための手段】
【００１５】
なお、カッコ内の符号は、発明の実施の形態において用いた符号を示し、本発明の技術的範囲を限定するものではない。
本発明に係る遊技機は、遊技機(10)の筐体(12)の前面に取り付けられ、前記遊技機(10)による遊技の進行に連動して機械的な動きする役物装置(90)を備えた遊技機(10)において、前記役物装置(90)は、往復動可能な移動体(730)と、前記移動体(730)に弾性部材(710)を介して振動可能に連結された役物（例えば役物本体510）と、前記役物（例えば役物本体510）を照明可能な光源（例えば上側光源820及び下側光源830）と、を備え、前記移動体(730)を往復動させることで、前記弾性部材(710)を介して前記役物（例えば役物本体510）を振動させるとともに、前記役物（例えば役物本体510）の振動中に、振動周期に関連付けて前記光源（例えば上側光源820及び下側光源830）を点滅させることで、振動中の前記役物（例えば役物本体510）の振動状態の一部を遊技者に視認可能としている、ことを特徴とする。
かかる構成にあっては、役物の振動中に、振動周期に関連付けて光源を点滅させ、振動中の役物の振動状態の一部を遊技者に視認可能とすることで、役物の振動周期を変えることなく、多様な演出を遊技者に見せることができるという効果がある。
【００１６】
また、本発明に係る遊技機の具体例としては、さらに、前記移動体(730)の移動方向（例えば図１５の「Ｚ軸」方向）と、前記役物（例えば役物本体510）の振動方向（例えば「Ｘ軸」を中心軸とした回転方向）で同じベクトル成分（例えば「Ｚ軸」方向の成分）と、異なるベクトル成分（例えば「Ｙ軸」方向の成分）を持たせた、ことを特徴とする。
かかる構成にあっては、移動体の移動方向と役物の振動方向で同じベクトル成分を持たせることで、移動体を移動させることにより、役物を効率良く振動させることができるという効果がある。
【００１７】
また、本発明に係る遊技機の具体例としては、さらに、前記光源（例えば上側光源820及び下側光源830）の前方には、
当該光源（例えば上側光源820及び下側光源830）から照射された照射光を前記役物（例えば役物本体510）に向かって反射可能な反射部（例えばカバー600の上側非可視部620及び下側非可視部630）を配置し、前記役物（例えば役物本体510）の振動状態の一部を遊技者に視認可能とする演出は、前記役物装置(90)内の光源（例えば上側光源820及び下側光源830）のうち、前記反射部（例えばカバー600の上側非可視部620及び下側非可視部630可視部）を照射する光源（例えば上側光源820及び下側光源830）のみを点滅することで実現するようにしている、ことを特徴とする。
かかる構成にあっては、光源から照射された照射光を、反射部を介して役物に向かって反射させ、当該光源のみを点滅することで、光源からの照射光を役物に直接、照射する場合に比較し、光量を減光でき、振動中の役物の振動状態の一部を遊技者に視認可能とするのに適切な光量を得ることができるという効果がある。
【００１８】
また、本発明に係る遊技機の具体例としては、さらに、前記役物（例えば役物本体510）は、前記筐体(12)の前面から前方に突出し、外部の光を反射可能に配置されている、ことを特徴とする。
かかる構成にあっては、役物を筐体の前面から前方に突出させ、外部の光を反射可能とすることで、外部の光と光源からの照射光との２種類の光を利用し、多様な演出を遊技者に見せることができるという効果がある。
【００１９】
また、本発明に係る遊技機の具体例としては、さらに、前記遊技機(10)には、前記光源（例えば上側光源820及び下側光源830）の点滅タイミングを制御する照明制御手段(332)を備え、前記照明制御手段(332)は、前記役物（例えば役物本体510）が振動中の特定位置にあるときに光源（例えば上側光源820及び下側光源830）が点灯するように点滅周期を制御することで、見かけ上の新しい振動周期による演出を遊技者に視認可能とするようにしている、ことを特徴とする。
かかる構成にあっては、役物が振動中の特定位置にあるときに光源が点灯するように点滅周期を制御することで、見かけ上の新しい振動周期による演出を遊技者に視認可能とし、役物の振動周期を変えることなく、見かけ上の新しい振動周期による演出を遊技者に見せることができるという効果がある。
【００２０】
また、本発明に係る遊技機の具体例としては、さらに、前記役物装置(90)内に入射される外部光により、振動中の前記役物（例えば役物本体510）の振動状態の全部が遊技者から見えるようにし、前記役物装置(90)の周囲を遊技者が遮光し、前記役物装置(90)内に入射される外部光を減光できるようにし、遊技者が意図的に遮光することで、振動中の前記役物（例えば役物本体510）の振動状態の一部のみを遊技者に視認可能とすることにより、前記光源（例えば上側光源820及び下側光源830）により作り出された見かけ上の新しい振動周期による演出を遊技者が視認できるようにしている、ことを特徴とする。
かかる構成にあっては、外部光により、振動中の役物の振動状態の全部が遊技者から見えるようにし、遊技者が役物装置の周囲を意図的に遮光し、光源により作り出された見かけ上の新しい振動周期による演出を遊技者が視認できるようにすることで、外部光により、振動中の役物の振動状態の全部が見える演出に加え、光源による見かけ上の新しい振動周期による演出との二種の演出を遊技者に見せることができるという効果がある。
【００２１】
また、本発明に係る遊技機の具体例としては、さらに、前記遊技機(10)には、前記光源（例えば上側光源820及び下側光源830）の点滅タイミングを制御する照明制御手段(332)を備え、前記照明制御手段(332)は、前記役物（例えば役物本体510）の振動の半周期の整数倍の周期で前記光源（例えば上側光源820及び下側光源830）の点滅を実行する第１照明制御（例えば静止状態）と、前記役物（例えば役物本体510）の振動の半周期の非整数倍の周期で前記光源（例えば上側光源820及び下側光源830）の点滅を実行する第２照明制御（例えばスローモーション状態）とが実行可能である、ことを特徴とする。
かかる構成にあっては、役物の振動の半周期の整数倍の周期で光源の点滅を実行する第１照明制御と、非整数倍の周期で光源の点滅を実行する第２照明制御とを実行することで、光源により作り出された見かけ上の新しい振動周期を少なくとも２種類、作り出すことができるという効果がある。
【００２２】
また、本発明に係る遊技機の具体例としては、さらに、前記役物装置(90)の周囲を遊技者が遮光できるようにし、遊技者が意図的に外部の光により前記役物（例えば役物本体510）を照明する外部光を遮光することで、前記光源（例えば上側光源820及び下側光源830）により前記役物（例えば役物本体510）を照明する内部照明光による前記役物（例えば役物本体510）の振動状態の一部を遊技者に視認可能とする演出を遊技者が視認できるようにしている、ことを特徴とする。
かかる構成にあっては、役物装置の周囲を遊技者が遮光できるようにすることで、遊技者の遮光の容易化を図ることができるという効果がある。
【００２３】
また、本発明に係る遊技機の具体例としては、さらに、前記筐体(12)には、前記光源（例えば上側光源820及び下側光源830）とは異なる発光素子（例えば役物用照明装置81）を設け、前記発光素子を点灯（例えば点滅を含む。）させることで、前記外部光の光量を増加させることができるようにしている、ことを特徴とする。
かかる構成にあっては、筐体に光源とは異なる発光素子を設け、外部光の光量を増加させることで、ホール環境等の外光に依存せず、外部光による演出（振動全部）と光源による演出（振動一部）とを切り分けることができるという効果がある。
【図面の簡単な説明】
【００２４】
【図１】本発明の実施の形態であって、遊技機の概略斜視図である。
【図２】本発明の実施の形態であって、遊技制御手段を説明するための概略ブロック図である。
【図３】本発明の実施の形態であって、図２に示す遊技状態制御手段の詳細を説明するためのブロック図である。
【図４】本発明の実施の形態であって、図２に示す演出制御手段の詳細を説明するためのブロック図である。
【図５】本発明の実施の形態であって、遊技状態を説明するための説明図である。
【図６】本発明の実施の形態であって、役物装置の正面図である。
【図７】本発明の実施の形態であって、役物装置の斜視図である。
【図８】本発明の実施の形態であって、役物装置の断面図である。
【図９】本発明の実施の形態であって、役物装置の分解斜視図である。
【図１０】本発明の実施の形態であって、カバーを取り外した状態の役物装置の正面図である。
【図１１】本発明の実施の形態であって、カバーを取り外した状態の役物装置の斜視図である。
【図１２】本発明の実施の形態であって、役物ユニット及び移動体の正面図である。
【図１３】本発明の実施の形態であって、背面側から見た役物ユニット及び移動体の斜視図である。
【図１４】本発明の実施の形態であって、役物ユニットの分解斜視図である。
【図１５】本発明の実施の形態であって、役物ユニットの動作を説明するための側面であり、（ａ）は上方側に揺動した状態、（ｂ）は上方側より下方に揺動した状態、（ｃ）は正面を向いた状態、（ｄ）は正面から下方に揺動した状態、（ｅ）は下方に揺動した状態をそれぞれ示すものである。
【図１６】本発明の実施の形態であって、遊技の流れの概要を説明するためのフローチャートである。
【図１７】本発明の実施の形態であって、役物ユニットの揺動と光源の点滅タイミングとを説明する説明図であり、（ａ）は静止状態の一例、（ｂ）は点滅状態の一例、（ｃ）はスローモーション状態の一例をそれぞれ説明するものである。
【図１８】本発明の第２の実施の形態であって、共通制御状態を説明するための説明図である。
【図１９】図１８に示す共通制御状態を制御するための遊技制御手段を説明するための概略ブロック図である。
【発明を実施するための形態】
【００２５】
（遊技機10）
本明細書では、各説明箇所において、方向についての定義等が示されていない場合には、遊技機10の方を向いて位置している遊技者から見て、遊技機10から遊技者の手前側に向かう方向を「前方向」とし、その逆方向を「後方向」とする。また、同様に、「左方向」や「右方向」等の左右方向も、遊技者から見た場合の左方向や、右方向を意味する。同様に、各部材の説明においても、方向についての定義等が示されていない場合には、各部材を、遊技機10の所定位置に固定した状態における遊技者から見た方向を意味する。
本実施の形態に係る遊技機10としてのスロットマシンを、以下、図１を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００２６】
（上パネル20）
前扉14の上部には、薄板樹脂からなる上パネル20を備えている。
【００２７】
（図柄表示窓部16）
上パネル20の略中央には、３個の回転リール62（正面から向かって左側の左リール64、中央の中リール66、右側の右リール68）の円周上の図柄61を見ることができる透過可能な図柄表示窓部16が形成されている。
図柄表示窓部16は、３個全ての回転リール62の回転が停止した際には、縦３列横３行に配置した合計９個の図柄61を遊技者に見せるように形成されている。この図柄表示窓部16は、回転リール62の正面側に設けられて、回転リール62の回転が停止した際、後述する有効ライン86上に停止している複数の図柄61を視認するためのものである。回転リール62は、図柄表示窓部16を介して複数の図柄61を変動表示可能なものである。
【００２８】
（リールユニット60）
図柄表示窓部16の奥には、リールユニット60が配置されている。
リールユニット60は、複数、例えば２１個の図柄61が個別に表示された複数、例えば３個の回転リール62を個別に回転可能なものである。
【００２９】
（演出装置70）
前扉14には、演出装置70（図２参照）が配置されている。演出装置70は、遊技の進行に応じ、各種の演出を実行するものである。演出装置70は、前扉14に配置された、（１）スピーカー72、（２）画像表示装置84、（３）演出用ランプ78、（４）役物装置90を備えている。なお、演出装置70は、前述した（１）〜（４）に限定されず、例えば画像表示装置84を省略してもよい。また、役物装置90については、図６〜図１５を用いて後述する。
スピーカー72は、前扉14の上部左右に配置された上部スピーカー74と、前扉14の下部左右に配置された下部スピーカー76とを備えている。
【００３０】
画像表示装置84は、その画面に種々の映像を表示するための表示デバイスであり、動画を含んだ映像の表示を行うための液晶表示装置を有する演出ユニットを構成するものである。
演出用ランプ78は、前扉14の上部に配置された上部ランプ80と、前扉14の中央部に配置された後述する役物用照明装置81と、前扉14の下部に配置された下部ランプ82とを備えている。
【００３１】
（下パネル22）
前扉14の下部には、下パネル22が設けられている。
【００３２】
（操作部30）
前扉14には、下パネル22の上に位置して前扉14の前方向へ向けて突出する操作部30を備えている。操作部30の右端には、メダルを投入可能なメダル投入口38が設けられている。
本実施の形態に係る遊技機10には、遊技開始の条件として後述するメダル投入口38から予めメダルを投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
【００３３】
（精算スイッチ36）
操作部30の左端には、クレジット機能によりクレジットしたメダルの全てを払い出すための精算スイッチ36が設けられている。
【００３４】
（ストップスイッチ50）
操作部30の中央下側には、複数、例えば３個のストップスイッチ50が配置されている。ストップスイッチ50は、複数、例えば３個の回転リール62の各々に対応して設けられ、遊技者の操作により回転中の複数の回転リール62を個別に停止可能なものである。
ストップスイッチ50は、左リール64を停止させるための左ストップスイッチＬと、中リール66を停止させるための中ストップスイッチＣと、右リール68を停止させるための右ストップスイッチＲとを有している。
すなわち、これらのストップスイッチ50は、複数の回転リール62それぞれに対応して設けられ、複数の回転リール62の図柄61の変動表示の開始後、遊技者の操作により回転リール62の図柄61の変動表示を個別に停止させるためのものである。
【００３５】
（スタートスイッチ40）
ストップスイッチ50の左側には、スタートスイッチ40が配置されている。スタートスイッチ40は、遊技者の操作により複数、例えば３個の回転リール62の回転を開始させるためのものである。スタートスイッチ40は、メダルの投入又は後述するマックスベットスイッチ34の操作を条件に、回転リール62の回転を開始させるためのものである。すなわち、このスタートスイッチ40は、遊技者の操作により回転リール62の図柄61の変動表示を開始させるためのものである。
【００３６】
（ベットスイッチ32）
スタートスイッチ40の上側には、クレジットしたメダルを所定枚数、投入可能なベットスイッチ32が設けられている。ベットスイッチ32としては、最大投入枚数（具体的には３枚）に達するまで投入可能なメダル数を減じて３枚のメダル投入に代えるマックスベットスイッチ34と、マックスベットスイッチ34の左隣に位置し、クレジットしたメダルを１枚減じて１枚のメダル投入に代えるシングルベットスイッチ35との２個のスイッチが設けられている。なお、ベットスイッチ32の個数は、２個に限定されず、例えば最大投入枚数しか投入できない機種においてはマックスベットスイッチ34だけを設けてもよい。
【００３７】
（払出手段24）
前扉14の下部の奥には、払出手段24（図２参照）が配置されている。払出手段24は、複数、例えば３個の回転リール62の停止表示された図柄61の組み合わせに基づいて、所定の遊技媒体、例えばメダルを払い出し可能なものである。払出手段24には、図示しないが、ホッパーユニットが使用されている。
なお、遊技媒体として、メダルを例示したが、これに限定されず、例えばパチンコ球でもよい。
また、前扉14の下部の奥には、電源投入又は電源遮断のための操作が可能な電源スイッチを有すると共に各部品に電力を供給するための電源装置（図示せず）が配置されている。
【００３８】
（メダル払出口28、メダル受け皿26）
前扉14の下部には、所定の場合に払出手段24からメダルが払い出されるメダル払出口28が形成されている。
このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００３９】
（１回の遊技及び有効ライン86）
本実施の形態に係る遊技機10は、ベットスイッチ32の操作又はメダル投入により所定枚数のメダルを投入することにより遊技の開始を可能とするものである。
そして、スタートスイッチ40の押下操作により、回転リール62の回転を開始させて遊技が開始されるとともに、役抽選が行われる。そして、当該遊技機10は、各回転リール62に対応するストップスイッチ50の操作タイミング及び役抽選の結果にもとづいて、回転リール62の回転を役抽選の結果に適合するように停止させる。
【００４０】
遊技機10は、停止時の図柄61の組合せによって、当選した役を構成する図柄61の組合せが所定の有効なライン（所定の役の図柄61の組合せが当該ライン上に揃ったときに所定の利益が付与されるラインのことであり、以下、「有効ライン86」という。）上に停止した場合に、入賞等となり、所定枚数のメダルを払い出す等の所定の利益を遊技者に付与する。これにより、１回の遊技が終了するものである。
【００４１】
なお、「有効ライン86」は、後述の停止図柄判定手段230の判定対象となるラインを意味する。本実施の形態の有効ライン86は、左リール64、中リール66及び右リール68の中段を横一直線に結んだラインから構成されている。
なお、有効ライン86として、１ラインを例示したが、これに限定されず、複数のラインから構成してもよい。
【００４２】
（図柄61）
左リール64、中リール66及び右リール68の表面には、図示しないが、「赤７」、「キャラクタ」、「ベル」、「バー」、「チェリー」、「プラム」、「オレンジ」等の複数の種々の図柄61が表示されている。
【００４３】
（役物装置90）
回転リール62が臨む図柄表示窓部16の左側には、役物装置90が配置されている。役物装置90は、遊技機10の筐体12の前面に取り付けられ、遊技機10による遊技の進行に連動して機械的な動きするものである。
ここで、「機械的な動き」とは、「機械」を使用した機構を意味し、単に液晶等の表示画面上の動きでないことを意味する。
役物装置90の構造については、図６〜図１５を用いて後述する。
【００４４】
（役物用照明装置81）
上パネル20の左右両側には、左右一対の役物用照明装置81を設けている。
左右の役物用照明装置81は、通常時、演出用ランプ78の一つして機能するほか、左側に位置する役物用照明装置81は、役物装置90に隣接して位置し、役物装置90の動作時に連動して点灯する「発光素子」として機能する。
「発光素子」は、筐体12に設けられ、役物装置90内に設けられた後述する光源である上側光源820及び下側光源830とは異なるものとして機能する。そして、「発光素子」は、役物装置90の動作時に連動して点灯することで、図示しないが、ホールの室内照明等の外部光の光量を増加させるものである。
左側の役物用照明装置81は、筐体12から突出した突縁部に内蔵され、役物装置90に向かった内側面を光らせることで、役物装置90の周囲を照明する「発光素子」として機能する。
左右の役物用照明装置81は、通常時、図４を用いて後述するランプ制御手段350により制御され、演出用ランプ78の一つして点灯もしくは点滅し、演出に使用される。左右の役物用照明装置81のうち、役物装置90に隣接する左側の役物用照明装置81は、役物装置90の動作時には、役物制御手段330により制御され、役物装置90の動作に連動して点灯制御される。例えば、役物装置90の振動状態において点灯し、外部光を増加させることで、当該外部光による演出（振動全部）と光源による演出（振動一部）とを切り分けることができるようにしている。
なお、役物用照明装置81は、役物装置90の振動状態において常時、点灯させておく必要は無く、室内照明が明るいホールの場合には、非作動状態としてもよく、室内照明が比較的、暗いホールにおいてのみ作動するようにしてもよい。また、ホールの照明が時間帯により明るくなったり、暗くなったりする場合には、明るい時間帯は役物用照明装置81を非作動状態とし、暗くなる時間帯のみ作動するようにしてもよい。さらに、役物装置90の振動状態の開始時のみ、役物用照明装置81を作動状態とし、その後、所定時間経過後、非作動として、光源による演出（振動一部）を見易くしてもよい。
一方、役物用照明装置81の「点灯」を例示したが、これに限定されず、「点滅」としてもよい。また、「発光素子」として、役物用照明装置81を例示したが、これに限定されず、役物用照明装置81に代えて、例えば演出用ランプ78の上部ランプ80等を使用してもよく、又、役物用照明装置81と上部ランプ80等とを一緒に点灯させてもよい。
【００４５】
（遊技制御手段100）
遊技機10の内部には、図２に示すように、遊技機10の全体の動作を制御するための遊技制御手段100が形成されている。
前記遊技制御手段100は、大別すると、遊技を進行させて遊技状態を制御するメイン制御手段200と、このメイン制御手段200からの命令（コマンド及びデータを含む。）を受けて、遊技の進行に応じた演出を制御し、主に遊技内容に関する情報を遊技者に報知する演出を行うために演出状態を制御するサブ制御手段300を備えている。
【００４６】
なお、メイン制御手段200とサブ制御手段300との間は、メイン制御手段200への不正操作を防止するために、メイン制御手段200からサブ制御手段300への一方向の通信により行われている。
メイン制御手段200は、ベットスイッチ32、精算スイッチ36、スタートスイッチ40、ストップスイッチ50等の入力を受け付け、役抽選を行い、リールユニット60及び払出手段24の作動を制御する。
【００４７】
サブ制御手段300は、メイン制御手段200から信号を入力し、画像表示装置84等の演出装置70の作動を制御する。
サブ制御手段300の出力側には、演出装置70としてのスピーカー72、画像表示装置84、演出用ランプ78及び役物装置90の各パーツがそれぞれ接続されている。
【００４８】
なお、特に図示していないが、メイン制御手段200を有するメイン基板と、サブ制御手段300を有するサブ基板とは、それぞれ専用の基板ケースの内部に収納されている。具体的には、メイン制御手段200は、メイン基板ケースの内部に収納され、サブ制御手段300は、サブ基板ケースの内部に収納されている。そして、メイン基板ケースは、筐体12の内部の奥側の上部に固定され、サブ基板ケースは、筐体12内部の正面から向かって左側に固定されている。
【００４９】
メイン制御手段200、サブ制御手段300のそれぞれは、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００５０】
（メイン制御手段200）
メイン制御手段200は、役抽選手段210、リール制御手段220、停止図柄判定手段230、遊技状態制御手段240、払出制御手段250及び送信制御手段260の各手段を有する。各手段の詳細については後述する。
なお、これらの手段の全てをメイン制御手段200が制御することなく、その一部をサブ制御手段300側で制御してもよいし、或いはメイン制御手段200とサブ制御手段300とが共働して制御するようにしてもよい。
以上の構成をもって、メイン制御手段200は、役の抽選を行い、回転リール62の回転及び停止を制御し、回転リール62がすべて停止したときに停止図柄判定を行い、遊技の進行を行う手段として機能することとなる。
【００５１】
メイン制御手段200は、遊技を制御するためのものであって、遊技を実行するためのものである。以下、本実施の形態における遊技について説明する。
規定の賭け数（１〜３枚）が設定されると、有効ライン86（図１参照）が設定される。賭け数を設定する方法には、メダル投入口38からメダルを投入する方法と、ベットスイッチ32を操作することによってクレジットメダルを賭け数として設定する方法とがある。
そして、規定の賭け数（１〜３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技での回転リール62の回転開始時から所定の時間（本実施の形態では、４．１秒）が経過しているか否かが判定され、所定の時間が経過すると、３個すべての回転リール62の回転が開始する。
【００５２】
本実施の形態では、役として、大別すると、「一般役」、「ボーナス役」、いずれにも当選していない「非当選」（ハズレ）が含まれている。
「一般役」には、「小役」（メダルの払い出しを伴う役）、「再遊技役」（遊技者所有のメダルを使用することなく次回の遊技を開始可能とする役、いわゆる「リプレイ役」）が含まれている。
「ボーナス役」は、遊技状態の移行を伴う役であり、次ゲーム以降に持ち越せる役である。なお、遊技状態については、図５を用いて後述する。
【００５３】
回転リール62の回転開始後、所定の条件（本実施の形態では、回転リール62を加速する処理を実行した後、所定のセンサにより回転リール62の回転位置が基準位置であることを検出すること）が成立すると、ストップスイッチ50の操作が可能な状態（停止操作可能状態）となる。
その後に、３個のストップスイッチ50のうち１個を操作すると、当該ストップスイッチ50に対応した回転リール62の回転が停止する。そして、３個すべてのストップスイッチ50の操作を終えると、３個すべての回転リール62の回転が停止する。
【００５４】
このとき、有効ライン86上に所定の図柄61の組合せが揃うと、当該図柄61の組合せに対応した処理が行われる。本実施の形態に係る遊技機10は、有効ライン86上に予め定められた図柄61の組合せが揃うと遊技者に利益が付与されるように形成されている。例えば小役に対応した図柄61の組合せが有効ライン86上に揃うと、小役に対応した枚数のメダルが遊技者に対して払い出される。
【００５５】
（役抽選手段210）
役抽選手段210は、メイン制御手段200が備える手段であり、スタートスイッチ40の操作を契機に、「ボーナス役」又は「一般役」のいずれかに当選か、又は非当選、すなわち「ハズレ」かを、抽選（役抽選）により決定するものである。役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
なお、役抽選手段210による処理は、後述するステップS11（図１６参照）において行われる。
役抽選手段210は、「ボーナス役」に当選時に、図５を用いて後述する「ＲＢ」である第１特別状態と、「ＢＢ」である第２特別状態とのいずれの特別状態に移行するかを決定している。
【００５６】
（リール制御手段220）
リール制御手段220は、メイン制御手段200が備える手段であり、各回転リール62の回転を停止させるためのものである。リール制御手段220は、役抽選手段210の抽選結果と、各ストップスイッチ50が操作されたときの対応する回転リール62の回転位置とにもとづいて、各回転リール62の回転を停止させる。
【００５７】
具体的には、各回転リール62の駆動モータを制御することで、回転方向に予め定められた図柄数分、本実施の形態では４コマ以内の図柄までの範囲に、当選した役に対応する図柄が含まれている場合には、当該図柄が有効ライン86上に揃うように引き込み制御を行い、且つ、当選していない役に対応した図柄が有効ライン86上に揃わないように蹴飛ばし制御を行う。
なお、リール制御手段220による処理は、後述するステップS12（図１６参照）において行われる。
【００５８】
（停止図柄判定手段230）
停止図柄判定手段230は、メイン制御手段200が備える手段であり、すべての回転リール62が停止した際における有効ライン86上の図柄の組合せを記憶するとともに入賞等の判定をするためのものである。
なお、停止図柄判定手段230による処理は、後述するステップS13（図１６参照）において行われる。
【００５９】
（遊技状態制御手段240）
遊技状態制御手段240は、メイン制御手段200が備える手段であり、図５に示す「遊技状態」を制御するためのものである。
遊技状態制御手段240には、図３に示すように、大別すると、（１）普通遊技制御手段241、（２）ボーナス内部中遊技制御手段242、（３）特別遊技制御手段243、（４）特殊遊技制御手段244を備える。なお、（１）〜（４）について後述する。また、遊技状態制御手段240の手段は、（１）〜（４）の手段に限定されない。
【００６０】
（払出制御手段250）
払出制御手段250は、メイン制御手段200が備える手段であり、停止図柄判定手段230の判定結果にもとづいて、メダル払い出し等の所定の処理を行うためのものである。払出制御手段250は、停止図柄判定手段230の判定の結果、小役が入賞していると判定されるとメダルの払い出しを行う。
なお、払出制御手段250による処理は、後述するステップS14（図１６参照）において行われる。
【００６１】
（送信制御手段260）
送信制御手段260は、メイン制御手段200が備える手段であり、サブ制御手段300へ信号を送信するためのものである。
【００６２】
（サブ制御手段300）
サブ制御手段300は、受信制御手段310及び演出制御手段320の各手段を有する。手段の詳細については後述する。
なお、これらの手段の全てをサブ制御手段300が制御することなく、その一部をメイン制御手段200側で制御してもよいし、或いはメイン制御手段200とサブ制御手段300とが協同して制御するようにしてもよい。
【００６３】
サブ制御手段300は、演出装置70が接続され、所定の演出を実行する。
例えば、サブ制御手段300は、演出用ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、画像表示装置84を駆動するための液晶制御基板（図示せず）に対して出力する映像データを規定するデータを出力したりする。
演出装置70は、大別すると、役物装置90（移動装置720、照明装置800）、画像表示装置84、演出用ランプ78及びスピーカー72等がサブ制御手段300にそれぞれ接続され、これをメイン制御手段200から送信される信号（例えば各種の抽選結果、コマンド、データ等）にもとづいてサブ制御手段300側で制御することにより、所定の演出を実行している。
【００６４】
（受信制御手段310）
受信制御手段310は、サブ制御手段300が備える手段であり、メイン制御手段200側の送信制御手段260からの信号を受信するものである。
【００６５】
（演出制御手段320）
演出制御手段320は、サブ制御手段300が備える手段であり、メイン制御手段200の役抽選手段210による役抽選結果にもとづいて、演出装置70を用いて演出を実行するためのものである。
具体的には、演出制御手段320は、図４に示すように、大別すると、（１）役物制御手段330、（２）表示制御手段340、（３）ランプ制御手段350、（４）音声制御手段360を備える。なお、（１）〜（４）については後述する。また、演出制御手段320の手段は、（１）〜（４）の手段に限定されない。
【００６６】
（普通遊技制御手段241）
普通遊技制御手段241は、図５を用いて後述する「普通遊技」の進行を制御するものである。
ここで、「普通遊技」は、図５を用いて後述するように、「特別遊技」（ボーナス遊技）、「ボーナス内部中遊技」及び「特殊遊技」以外の遊技状態である。
【００６７】
（ボーナス内部中遊技制御手段242）
ボーナス内部中遊技制御手段242は、図５を用いて後述する「ボーナス内部中遊技」の進行を制御するものである。
ここで、「ボーナス内部中遊技」は、「普通遊技」においてボーナス役に当選すると移行する遊技状態である。「ボーナス内部中遊技」において、ボーナス遊技の移行に対応した図柄が表示されると、当該ボーナス内部中遊技から「特別遊技」（ボーナス遊技）に移行する。
【００６８】
（特別遊技制御手段243）
特別遊技制御手段243は、図５を用いて後述する「特別遊技」（ボーナス遊技）の進行を制御するものである。
ここで、「特別遊技」（ボーナス遊技）は、ボーナス遊技用として用いられる抽選テーブルを用いて、役抽選が行われるものであり、通常遊技に用いられる抽選テーブルと比較すると、一般役の当選確率が高く設定されているため、通常遊技が遊技数を消化するごとにメダルは減少していくのに対して、ボーナス遊技においては、メダルが増加する可能性が高い。
「特別遊技」（ボーナス遊技）には、図５を用いて後述する「ＲＢ」である第１特別状態と、「ＢＢ」である第２特別状態との２種類の特別状態があり、各特別状態に応じ、第１特別状態制御手段243aと、第２特別状態制御手段243bとが設けられている。第１特別状態制御手段243aは、「ＲＢ」である第１特別状態を制御するものである。第２特別状態制御手段243bは、「ＢＢ」である第２特別状態を制御するものである。
【００６９】
（特殊遊技制御手段244）
特殊遊技制御手段244は、図５を用いて後述する「特殊遊技」の進行を制御するものである。
ここで、「特殊遊技」は、「特別遊技」（ボーナス遊技）の終了後、移行し、所定の遊技区間（例えば３０Ｇ）実行可能な遊技状態である。
【００７０】
（役物制御手段330）
役物制御手段330は、サブ制御手段300が備える手段であり、メイン制御手段200の役抽選手段210による役抽選結果にもとづいて、役物装置90の動作状態を制御するものである。これに加え、役物制御手段330は、演出用ランプ78の一つである役物用照明装置81にも接続され、役物装置90の動作に連動させて、「発光素子」として機能する左側の役物用照明装置81を点灯制御或いは点滅制御している。
役物制御手段330は、図４に示すように、次の手段を備える。
（１）移動制御手段331
移動制御手段331は、サブ制御手段300が備える手段であり、メイン制御手段200の役抽選手段210による役抽選結果にもとづいて、役物装置90の後述するモータである駆動源750の駆動状態を制御するものである。具体的には、駆動源750を正逆転させると、後述するラック731とピニオン761とのかみ合いにより、移動体730が図６及び図１５に示す「Ｚ軸」方向に移動する。その結果、移動体730に板バネである弾性部材710に連結された役物本体510が慣性力により、「Ｘ軸」上の中心点を支点として「Ｚ軸」方向に回転することで振動を開始する。なお、移動制御手段331は、駆動源750を継続的に正逆転させ、移動体730を常に移動させてもよいし、或いは板バネである弾性部材710の減衰時に、駆動源750を正逆転させ、移動体730を間欠的に移動させてもよい。
【００７１】
（２）照明制御手段332
照明制御手段332は、サブ制御手段300が備える手段であり、メイン制御手段200の役抽選手段210による役抽選結果にもとづいて、役物装置90の後述する照明装置800、すなわち同じく後述する中央光源810、上側光源820、下側光源830の点灯・消灯を制御するものである。
【００７２】
また、照明制御手段332は、中央光源810、上側光源820、下側光源830のうち、上側光源820及び下側光源830の点滅タイミングを制御するものである。
すなわち、照明制御手段332は、役物本体510が振動中の特定位置にあるときに、上側光源820及び下側光源830が点灯するように当該点滅周期を制御することで、見かけ上の新しい振動周期による演出を遊技者に視認可能とするようにしている。
ここで、「特定位置」は、例えば役物本体510が上下に振動する場合に、図１５の（ａ）に示す上方側に揺動した状態、（ｂ）に示す上方側より下方に揺動した状態、（ｃ）に示す正面を向いた状態、（ｄ）に示す正面から下方に揺動した状態、（ｅ）に示す下方に揺動した状態のいずれか少なくとも１つの位置をいう。
なお、「特定位置」として、少なくとも１つの位置を例示したが、これに限定されず、複数の位置を特定位置としてもよい。
【００７３】
ここで、「見かけ上の新しい振動周期」としては、役物本体510の振動周期による演出の全部が見える状態に対し、振動周期の一部である「特定位置」にあるときに上側光源820及び下側光源830を点灯させ、振動周期による演出の一部が見えるようにすることで、役物本体510が「静止状態」に見えたり、或いは「スローモーション状態」で振動しているように見えたりする状態をいう。
なお、「見かけ上の新しい振動周期」としては、「静止状態」や「スローモーション状態」を例示したが、これに限定されず、例えば「スローモーション状態」に「低速」と「超低速」等のように速度に変化を持たせてもよい。
【００７４】
さらに、照明制御手段332は、役物本体510の振動の半周期の整数倍の周期で上側光源820及び下側光源830の点滅を実行する第１照明制御（例えば静止状態）と、役物本体510）の振動の半周期の非整数倍の周期で上側光源820及び下側光源830の点滅を実行する第２照明制御（例えばスローモーション状態）とが実行可能である。
ここで、「役物本体510の振動の半周期」は、「１周期」の１／２の周期である。「１周期」は、後述する図１７を用いて説明すると、「Ｔ２〜Ｔ６」迄をいい、役物本体510が中心位置（Ｔ２）から下方位置（Ｔ３）及び上方位置（Ｔ５）を経て、中心位置（Ｔ６）に戻って来るまでの一連の動きをいう。役物本体510の中心位置は、後述する図１５の（ｃ）の状態、下方位置は（ｅ）の状態、上方位置は（ａ）の状態をいう。
【００７５】
ここで、「半周期の整数倍」としては、後述する図１７の（ａ）に示す「静止状態の一例」の通りである。「静止状態の一例」では、「半周期」の「１倍」となり、「Ｔ２、Ｔ４、Ｔ６、Ｔ８」の順に点滅する。その結果、振動中の役物本体510が中心位置を通過したときにしか見えず、遊技者からは、役物本体510が中心位置に見かけ上、静止しているように見える。
【００７６】
ここで、「半周期の非整数倍」としては、例えば図１７の（ｃ）に示す「スローモーション状態の一例」の通りである。「スローモーション状態の一例」では、「半周期」の「１．５倍」となり、「Ｔ１、Ｔ４、Ｔ７」の順に点滅する。その結果、振動中の役物本体510が上方位置を基準とすると、遊技者からは、上方位置、中心位置、下方位置の順に見かけ上、ゆっくりと（３倍の周期で）、すなわちスローモーション状態で振動しているように見える。
なお、「半周期の整数倍」としては、図１７の（ａ）に示す「１倍」を例示したが、これに限定されず、例えば「２倍」、「３倍」或いは「４倍」以上としてもよい。また、「半周期の非整数倍」としては、例えば図１７の（ｃ）に示す「１．５倍」を例示したが、これに限定されず、「０．２５」（１／４倍）、「０．５」（２／４倍）、「０．７５倍」（３／４）のように細かく区切ってもよいし、或いは「１．５倍」より大きな「非整数倍」としてもよい。
【００７７】
（表示制御手段340）
表示制御手段340は、画像表示装置84に接続され、遊技制御手段100による遊技の進行に連動して画像表示装置84を制御するものである。
【００７８】
（ランプ制御手段350）
ランプ制御手段350は、演出用ランプ78（上部ランプ80、役物用照明装置81、下部ランプ82）に接続され、遊技制御手段100による遊技の進行に連動して上部ランプ80、役物用照明装置81、下部ランプ82をそれぞれ制御するものである。
【００７９】
（音声制御手段360）
音声制御手段360は、スピーカー72に接続され、遊技制御手段100による遊技の進行に連動してスピーカー72から効果音を発生させるものである。
【００８０】
（図５を用いた遊技状態の説明）
図５は、メイン制御手段200側で管理される遊技状態の一例を示している。
遊技状態としては、大別すると、「普通遊技」、「特別遊技」（ボーナス遊技）、「ボーナス内部中遊技」、「特殊遊技」が含まれる。
【００８１】
（普通遊技）
「普通遊技」は、普通に行われる遊技状態であって、ここでは「特別遊技」（ボーナス遊技）、「ボーナス内部中遊技」及び「特殊遊技」以外の遊技状態をいう。「普通遊技」は、図５に示す普通遊技制御手段241により制御されている。
「普通遊技」は、「ＮＯＭ」（ＲＴ０）とも呼ばれ、再遊技確率が「通常」（低確率）に設定されている。
ここで、「ＲＴ０」は「ＲＴ」の一つの状態であり、「ＲＴ」はいわゆる「リプレイ・タイム」の略語である。「リプレイ」は、「再遊技」とも呼ばれる。再遊技役（リプレイ役）に当選し、再遊技役（リプレイ役）に対応する図柄の組合せが有効ライン86上に揃うと、メダルの払い出しはないものの、次回の遊技において遊技者所有のメダルを使用することなく賭け数が自動的に設定され、遊技を行うことができる。
【００８２】
「普通遊技」中、図２に示す役抽選手段210により、スタートスイッチ40の操作を契機に、「ボーナス役」又は「一般役」のいずれかに当選か、又は非当選、すなわち「ハズレ」かを、抽選（役抽選）により決定している。「普通遊技」中、ボーナス役に当選すると、「ボーナス内部中遊技」に移行する。また、「普通遊技」中、ボーナス役に当選し、且つボーナス状態の移行に対応した図柄が表示されると、入賞となり、「普通遊技」から「特別遊技」（ボーナス遊技）に移行する場合もある。
【００８３】
（ボーナス内部中遊技）
「ボーナス内部中遊技」は、「普通遊技」中、ボーナス役に当選、すなわちボーナス役のフラグが立った状態の遊技状態である。「ボーナス内部中遊技」は、図５に示すボーナス内部中遊技制御手段242により制御される。「ボーナス内部中遊技」中は、「ＲＴ２」に移行し、再遊技確率が「高確率」に設定されている。
「ボーナス内部中遊技」中、ボーナス状態の移行に対応した図柄が表示されると、入賞となり、「特別遊技」（ボーナス遊技）に移行する。
【００８４】
（特別遊技）
「特別遊技」（ボーナス遊技）は、ボーナス遊技用として用いられる抽選テーブルを用いて、役抽選が行われるものであり、通常遊技に用いられる抽選テーブルと比較すると、一般役の当選確率が高く設定されているため、通常遊技が遊技数を消化するごとにメダルは減少していくのに対して、ボーナス遊技においては、メダルが増加することになる。ボーナス遊技は、図５に示す特別遊技制御手段243により制御される。
「特別遊技」（ボーナス遊技）には、遊技者に対する有利度の異なる「ＲＢ」である第１特別状態と、第１特別状態より遊技者に有利な「ＢＢ」である「第２特別状態」との少なくとも２種類の遊技状態を有する。
「ＢＢ」は、「ＲＢ」が連続して発生する遊技様態である。「ＲＢ」は、小役の当選確率を上昇させることで、小役の入賞を容易にする遊技状態である。「ＢＢ」は、図５に示す第２特別状態制御手段243bにより制御される。「ＲＢ」は、図５に示す第１特別状態制御手段243aにより制御される。
【００８５】
「特別遊技」（ボーナス遊技）は、「遊技区間」（例えば所定の払出枚数の到達）が設定され、当該遊技区間が終了すると、「特殊遊技」に移行する。
なお、特別状態として、「ＲＢ」と「ＢＢ」とを例示したが、これに限定されず、「ＲＢ」と「ＢＢ」といずれか一方でもよいし、或いはいわゆるチャレンジ・ボーナス（ＣＢ、第二種特別役物）でもよい。チャレンジ・ボーナス（ＣＢは、全ての小役を当選状態にすることで小役の入賞を容易にする遊技状態である。
また、「特別遊技」（ボーナス遊技）の「遊技区間」として、例えば所定の払出枚数に到達することを終了条件として説明したが、これに限定されず、ゲーム数やセット数、或いはポイント数が所定の値に到達した場合に終了させるようにしてもよい。
【００８６】
（特殊遊技）
「特殊遊技」は、「特別遊技」（ボーナス遊技）の終了後、移行し、所定の遊技区間（例えば３０Ｇ）実行可能な遊技状態である。「特殊遊技」は、図５に示す特殊遊技制御手段244により制御される。
「特殊遊技」中は、「ＲＴ２」に移行し、再遊技確率が「中程度」に設定され、メダル数が微減するように設定されている。
「特殊遊技」中、役抽選でボーナス当選すると、「特別遊技」（ボーナス遊技）に再度、移行する。これに対し、所定の遊技区間（例えば３０Ｇ）が終了する（ゲーム数を消化する）と、「普通遊技」に移行する。
なお、特殊遊技の「遊技区間」として、ゲーム数（例えば３０Ｇ）を例示したが、これに限定されず、例えばメダルの払出枚数や差数、セット数或いはポイント数等を用いてもよい。
【００８７】
（図６〜図１５を用いた役物装置90の説明）
役物装置90は、図９に示すように、大別すると、（１）装置本体400、（２）役物ユニット500、（３）カバー600、（４）振動機構700、（５）照明装置800から構成されている。なお、上述した（１）〜（５）について後述する。
【００８８】
（装置本体400）
装置本体400は、図９に示すように、上下に長い枠状に形成され、図１に示すように、筐体12の前面に埋設状に固定されている。
【００８９】
（役物ユニット500）
役物ユニット500は、図１４に示すように、大別すると、（１）役物本体510、（２）ベース520、（３）ガイド530、（４）遮光板540から構成されている。
役物本体510は、図１２〜図１４に示すように、中空な半球形に形成され、照明装置800の後述する中央光源810から照射された照射光が透光可能に形成されている。役物本体510は、振動機構700の後述する板バネである弾性部材710を介し、図６及び図１５に示す「Ｘ軸」上の中心点を支点として「Ｚ軸」方向に回転することで振動可能にベース520に取り付けられている。なお、役物本体510の振動方向として、「Ｘ軸」上の中心点を支点としての回転を例示したが、これに限定されず、例えば中心点を「Ｙ軸」や「Ｚ軸」に変更してもよいし、回転方向を「Ｘ軸」方向や「Ｙ軸」方向に変更してもよい。
【００９０】
また、役物本体510は、筐体12の前面から前方に突出し、外部の光を反射可能に配置されている。
ここで、「外部の光」としては、図示しないが、例えば遊技機10が設置されたホールの室内照明がある。なお、「外部の光」としては、ホールの室内照明を例示したが、これに限定されず、自機である遊技機10の電飾のほか、他機の電飾、或いは自然光でもよい。
具体的には、後述するカバー600を、筐体12の前面から前方、すなわち遊技者側に向かって略ドーム型に突出させ、その内部に役物本体510を位置させている。役物本体510も、カバー600の遊技者側に近い位置に配置し、その全部又は一部が筐体12の前面から前方、すなわち遊技者側に突出させている。
【００９１】
ベース520は、図１３に示すように、振動機構700の後述する移動体730に固定され、移動体730と一体的に移動する。
【００９２】
（カバー600）
カバー600は、図６〜図９に示すように、装置本体400の前方を覆うものであり、中央部が前方に向かって突出し、中空な上下に細長い半球型に形成され、中空内部には役物ユニット500が上下に振動可能に配置される。
カバー600の上下に細長い半球型の突出部分には、（１）可視部610、（２）上側非可視部620、（３）下側非可視部630を有する。
可視部610は、上下に細長い半球型の突出部分の中央に位置し、上下に細長い長円形に形成され、内部に配置された役物本体510の振動状態が視認可能なように透明に形成されている。
なお、可視部610として、カバー600の一部を透明に形成したが、これに限定されず、カバー600の一部を切り欠いて開口部としてもよい。
【００９３】
上側非可視部620及び下側非可視部630は、可視部610と上下に隣接し、非透明に形成され、内面が照明装置800の後述する上側光源820及び下側光源830から照射された照射光を役物本体510に向かって反射可能な「反射部」、すなわち「リフレクタ」として機能する。
なお、「反射部」として、「カバー600」を例示したが、これに限定されず、例えば「カバー600」の内部に「反射部」を別に設けてもよい。また、「反射部」として、「上側非可視部620」と「下側非可視部630」との２個の非可視部を例示したが、これに限定されず、単数でもよいし、或いは３個以上としてもよい。
【００９４】
（振動機構700）
振動機構700は、役物本体510を振動させる機構である。振動機構700は、大別すると、（１）弾性部材710、（２）移動装置720から構成されている。
弾性部材710は、板バネから構成され、ベース520に固定され、自由端部側が役物本体510の裏面側に連結されている。
なお、弾性部材710として、板バネを例示したが、これに限定されず、例えばコイルスプリングやゴム等を使用してもよい。
【００９５】
（移動装置720）
移動装置720は、後述する移動体730に板バネである弾性部材710を介して連結された役物本体510を振動させるために、移動体730を図６及び図１５に示す「Ｚ軸」方向に移動させるものである。なお、移動装置720の移動方向として「Ｚ軸」方向を例示したが、これに限定されず、例えば「Ｙ軸」方向でもよく、又、直線の往復運動に限定されず、回転運動により、板バネである弾性部材710に連結された役物本体510を振動させるようにしてもよい。
移動装置720は、大別すると、（１）移動体730、（２）シャフト740、（３）駆動源750、（４）歯車機構760、（５）移動位置検出装置770、（６）コイルスプリング780から構成されている。
移動体730は、枠状に形成され、装置本体400に上下動可能に取り付けられ、役物ユニット500のベース520が固定される。
移動体730の裏側には、ラック731が設けられ、当該ラック731が歯車機構760のピニオン761とかみ合うことで、移動体730が図６及び図１５に示す「Ｚ軸」方向に移動する。
【００９６】
また、移動体730の片側には、シャフト受け732が設けられ、当該シャフト受け732に装置本体400に固定されたシャフト740が通ることで、装置本体400に上下動可能に取り付けられる。
駆動源750は、例えばモータから構成され、当該モータは装置本体400に固定され、歯車機構760に駆動力を伝達するものである。
歯車機構760は、装置本体400に取り付けられ、移動体730のラック731にかみ合うピニオン761を有する。
なお、移動装置720として、ラック731とピニオン761を利用したが、これに限定されず、例えばベルト機構を利用して移動体730を移動させてもよい。
【００９７】
（移動位置検出装置770）
移動位置検出装置770は、移動体730の移動位置を検出するものであり、大別すると、（１）検出片771、（２）下側検出部772、（３）上側検出部773から構成されている。
検出片771は、移動体730の裏面から板状に突出する。
下側検出部772及び上側検出部773は、例えばフォトセンサから構成され、装置本体400側に固定され、検出片771の移動範囲内に位置する。
下側検出部772は、移動体730の下降位置を検出するものである。上側検出部773は、移動体730の上昇位置を検出するものである。
なお、検出片771を、移動体730に設け、下側検出部772及び上側検出部773を装置本体400側に固定したが、これに限定されず、検出片771を装置本体400側に設け、下側検出部772及び上側検出部773を移動体730側に固定してもよく、又、フォトセンサにも限定されず、マイクロスイッチ等を用いてもよい。
【００９８】
（コイルスプリング780）
コイルスプリング780は、上端部が装置本体400に固定され、下端部が移動体730に固定され、移動体730を上昇方向に付勢するものである。コイルスプリング780により移動体730を上昇方向に付勢することで、移動体730の移動時のガタの発生を防止している。
【００９９】
（照明装置800）
照明装置800は、役物装置90内に位置し、役物本体510を照明するためのものである。
照明装置800は、大別すると、（１）中央光源810、（２）上側光源820、（３）下側光源830から構成されている。
中央光源810は、計６個のＬＥＤから構成され、装置本体400の高さの略中央に取り付けられ、役物本体510を裏側から照明し、主として透過光源として利用されている。
上側光源820及び下側光源830は、各２個のＬＥＤから構成され、中央光源810の上側と下側とにそれぞれ位置し、装置本体400に取り付けられている。上側光源820及び下側光源830は、カバー600の上側非可視部620と下側非可視部630との内面側に対向して位置する。上側光源820及び下側光源830から照射された照射光は、上側非可視部620と下側非可視部630とにより反射されることで、反射光で役物本体510の表面側を照明し、主として反射光源として利用されている。
なお、光源としてＬＥＤを例示したが、これに限定されず、電球や蛍光灯等を用いてもよい。また、ＬＥＤの個数も、６個や２個に限定されず、単数でもよいし、６個の場合には２個〜５個、或いは７個以上でもよく、又、２個の場合には３個以上でもよい。
【０１００】
（図１５を用いた役物本体510の振動の説明）
図１５を用いて、役物本体510の振動について説明する。
（ｃ）に示す役物本体510が正面を向いた状態を用いて説明すると、移動体730の移動方向「Ｚ軸」方向と、役物本体510の振動方向で同じベクトル成分と、異なるベクトル成分を持たせている。
ここで、「移動体730の移動方向」としては、「Ｚ軸」方向のベクトル成分を持つ。
ここで、「役物本体510の振動方向」は、分解すると、「Ｚ軸」方向のベクトル成分と、「Ｙ軸」方向のベクトル成分を持つ。
ここで、「同じベクトル成分」としては、「Ｚ軸」方向のベクトル成分が相当する。
ここで、「異なるベクトル成分」としては、「Ｙ軸」方向のベクトル成分が相当する。
上記関係から、移動体730を「Ｚ軸」方向の一方、例えば上昇させると、役物本体510に慣性力が働き、（ｄ）及び（ｅ）に示すように、役物本体510が「Ｘ軸」上の中心点を支点として下方に回転する。
（ｅ）に示すように、役物本体510が最も下降すると、板バネである弾性部材710の復元力により、「Ｘ軸」上の中心点を支点として上方に回転する。
【０１０１】
つぎに、移動体730を「Ｚ軸」方向の他方、例えば下降させると、役物本体510に逆方向の慣性力が働き、（ｂ）及び（ａ）に示すように、役物本体510が「Ｘ軸」上の中心点を支点として上方に回転する。
（ａ）に示すように、役物本体510が最も上昇すると、板バネである弾性部材710の復元力に加え、重力が働き、「Ｘ軸」上の中心点を支点として下方に回転する。
【０１０２】
この状態で、移動体730の移動を停止しても、板バネである弾性部材710のバネ力により、役物本体510が上下方向に振動する。バネ力は次第に減衰し、最終的には（ｃ）に示す役物本体510が正面を向いた状態で静止する。
移動体730を常に移動させることで、バネ力の減衰に関わらず、役物本体510を継続して上下方向に振動させることができる。また、バネ力の減衰を予測して、移動体730を間欠的に移動させることでも、振動を継続させることができる。
【０１０３】
（図１６を用いた遊技の流れの概略説明）
図１６を用いて、メイン制御手段200が１回の遊技毎に実行する一般的な遊技制御処理について説明する。
【０１０４】
ステップS10において、メイン制御手段200により、スタートスイッチ40の操作があったか否かの判定が行われる。ここで、スタートスイッチ40の操作があったと判定されると、メイン制御手段200により、賭け数の設定が不可能な状態とされる。その後、次のステップS11に進む。一方、スタートスイッチ40の操作がないと判定されると、再度ステップS10となる。
【０１０５】
なお、このステップS10の前提として、賭け数設定処理が行われている。この賭け数設定処理では、賭け数として規定の賭け数が設定されたか否かが判定されるものである。具体的には、メイン制御手段200により、当該遊技の賭け数として設定されているメダルの枚数が規定の賭け数（３枚）に達しているか否かの判定が行われる。
【０１０６】
ステップS11において、役抽選手段210により、役抽選処理が行われる。また、このとき、役抽選の結果がメイン制御手段200からサブ制御手段300へ送信される。役抽選処理が終了すると、次のステップS12に進む。
【０１０７】
ステップS12において、リールユニット60における回転リール62の回転変動処理が行われる。回転リール62が所定の回転速度に達した後、メイン制御手段200により、回転中の回転リール62に対応するストップスイッチ50の操作があった場合に、リール制御手段220により、各回転リール62の回転が停止させられる。このときのストップスイッチ50（左ストップスイッチＬ、中ストップスイッチＣ、右ストップスイッチＲ）の当選役に対応する押し順は、メイン制御手段200に形成された所定の記憶領域に記憶されると共に、その後の処理にて読み出される。
【０１０８】
また、すべての停止操作終了後、メイン制御手段200の送信制御手段260からサブ制御手段300の受信制御手段310へ全回転リール62の回転停止情報が送信される。そして、すべての回転リール62の回転変動処理が終了すると、次のステップS13に進む。
ステップS13において、停止図柄判定手段230により、有効ライン86上に所定の役の図柄61の組合せが揃っているか否かの入賞等の判定処理が行われる。ここで、入賞等の判定処理の判定結果のデータは、メイン制御手段200からサブ制御手段300へ送信される。そして、判定処理が終わると、次のステップS14に進む。
【０１０９】
ステップS14において、払出制御手段250により、停止図柄判定手段230の判定結果に対応した払出処理等が行われる。なお、判定結果、払出が不要な場合には、払出処理は行われない。そして、当該処理が終了する。
【０１１０】
（図１７を用いた光源の点滅タイミングの説明）
図１７を用いて、上側光源820及び下側光源830の点滅タイミングについて説明する。
図１７の上段の正弦波（サインカーブ）は、役物本体510の上下方向の振動を時間軸上に展開したものである。
役物本体510の上下方向の振動の１周期は、「Ｔ２」を基準とすると、「Ｔ２〜Ｔ６」迄である。半周期は、１周期の１／２で、「Ｔ２」を基準とすると、「Ｔ２〜Ｔ４」迄である。
【０１１１】
役物本体510の位置により、特定位置の通過周期は異なる場合がある。
例えば、「Ｔ１」を基準に見ると、中心位置は、１周期の間に「Ｔ２」、「Ｔ４」の計２回通過し、中心位置を通過する間隔は半周期毎となる。これに対し、例えば「Ｔ２」を基準に見ると、中心位置は、１周期の間に「Ｔ２」、「Ｔ４」、「Ｔ６」の計３回通過し、中心位置を通過する間隔は同様に半周期毎となる。このため、１周期の基準となる「Ｔ１」と「Ｔ２」とを異ならせると、通過回数は異なるが、通過周期は一定している。
上方位置や下方位置の場合にも、中心位置と同様である。
これに対し、中心位置と上方位置との中間の位置には、例えば「Ｔ２」を基準とし、１周期の間に、「Ｔ４とＴ５の中間」、「Ｔ５とＴ６の中間」の計２回通過し、中心位置と上方位置との中間の位置を通過する間隔は１／４周期となる。しかし、中心位置と上方位置との中間の位置の場合に、例えば「Ｔ１」を基準とすると、「Ｔ１とＴ２の中間」、「Ｔ４とＴ５の中間」の計２回であるが、中心位置と上方位置との中間の位置を通過する間隔が、３／４周期となる。このため、１周期の基準となる「Ｔ１」と「Ｔ２」とを異ならせた場合に、通過回数は一致するが、通過周期は異なる場合がある。中心位置と下方位置との中間の位置の場合にも、同様である。
【０１１２】
（図１７の（ａ）に示す静止状態の一例の説明）
図１７の（ａ）以降は、上側光源820及び下側光源830の点滅タイミングの一例を示すものである。
図１７の（ａ）は、上側光源820及び下側光源830の点滅タイミングを制御することで、振動中の役物本体510が見かけ上、静止して見える静止状態を実現するものであり、図４に示す照明制御手段332による「第１照明制御」に該当する。
図１７の（ａ）の場合には、「Ｔ２」の直前でオフ（ＯＦＦ）からオン（ＯＮ）し、「Ｔ２」の直後、オン（ＯＮ）からオフ（ＯＦＦ）し、これを１回の点滅とし、「Ｔ４」、「Ｔ６」、「Ｔ８」の順に点滅を繰り返している。「Ｔ２」、「Ｔ４」、「Ｔ６」、「Ｔ８」では、役物本体510が中心位置を通過し、このとき中心位置が「特定位置」となり、当該「特定位置」にあるときに上側光源820及び下側光源830が点灯するように制御されている。「Ｔ２」、「Ｔ４」、「Ｔ６」、「Ｔ８」の間隔は、半周期である。なお、「半周期」は、「半周期」の整数である「１倍」（整数倍）とも考えられる。
【０１１３】
上側光源820及び下側光源830から照射された照射光は、カバー600の上側非可視部620及び下側非可視部630において反射され、反射光により役物本体510を一瞬だけ照明される。
その結果、反射光だけで役物本体510を見たときには、役物本体510が特定位置の一つである中心位置に静止しているように遊技者から見え、この状態を「見かけ上の新しい振動周期」という。
これに対し、カバー600の中央に位置する可視部610から入射した外部の光、例えばホールの室内照明により、役物本体510を見たときには、上下方向の振動の振動周期による演出の全部が遊技者から見える。
【０１１４】
このとき、役物本体510の表面を照明する外部の光の光量が、十分に明るい場合には、上側光源820及び下側光源830が図１７の（ａ）に示す点滅タイミングで点灯していても、外部の光により、役物本体510の振動周期による演出の全部が遊技者から見える。
これに対し、遊技者の両手の手のひらで、カバー600の中央に位置する可視部610の両側を包み隠すようにし、両手のひらの間にできた隙間に顔を近づけ、カバー600の内部を暗くすることで、可視部610を通って内部に入射される外部の光の光量を減光させることができる。
両手のひらの間にできた隙間から役物本体510を覗くと、図１７の（ａ）に示す点滅タイミングで点灯した反射光により、役物本体510の振動周期による演出の一部、特定位置の一つである中心位置を通過しているときだけ、役物本体510が見え、中心位置に静止しているように遊技者から見える。
【０１１５】
（図１７の（ｂ）に示す点灯状態の一例の説明）
図１７の（ｂ）の場合には、「Ｔ１」、「Ｔ２」、「Ｔ３」、「Ｔ４」、「Ｔ５」、「Ｔ６」、「Ｔ７」、「Ｔ８」の順に点滅を繰り返している。「Ｔ１」、「Ｔ５」では、役物本体510が上方位置に到達し、「Ｔ２」、「Ｔ４」、「Ｔ６」、「Ｔ８」では中心位置を通過し、「Ｔ３」、「Ｔ７」では下方位置に到達し、このとき上方位置、中心位置、下方位置の３つの位置が「特定位置」となり、当該「特定位置」にあるときに上側光源820及び下側光源830が点灯するように制御されている。「Ｔ１」、「Ｔ２」、「Ｔ３」、「Ｔ４」、「Ｔ５」、「Ｔ６」、「Ｔ７」、「Ｔ８」の間隔は、半周期の非整数である「０．５倍」（非整数倍）である。
上側非可視部620及び下側非可視部630の反射光だけで役物本体510を見たときには、役物本体510が３個の特定位置、すなわち「上方位置」、「中間位置」、「下方位置」の順に段階的に移動しているように遊技者から見え、この状態を「見かけ上の新しい振動周期」という。
【０１１６】
（図１７の（ｃ）に示すスローモーション状態の一例の説明）
図１７の（ｃ）は、上側光源820及び下側光源830の点滅タイミングを制御することで、振動中の役物本体510が見かけ上、ゆっくり振動しているように見えるスローモーション状態を実現するものであり、図４に示す照明制御手段332による「第２照明制御」に該当する。
図１７の（ｃ）の場合には、「Ｔ１」、「Ｔ４」、「Ｔ７」の順に点滅を繰り返している。「Ｔ１」では、役物本体510が上方位置に到達し、「Ｔ４」では中心位置を通過し、「Ｔ７」では下方位置に到達し、このとき上方位置、中心位置、下方位置の順に「特定位置」が刻々と変化し、当該「特定位置」にあるときに上側光源820及び下側光源830が点灯するように制御されている。「Ｔ１」、「Ｔ４」、「Ｔ７」の間隔は、半周期の非整数である「１．５倍」（非整数倍）である。本例の場合には、見かけ上、上方位置、中心位置、下方位置の３つの位置が「特定位置」となるが、「Ｔ１」での特定位置は上方位置、「Ｔ４」での特定位置は中心位置、「Ｔ７」での特定位置は下方位置というように、時間経過と現在位置、それまでにどこで光らせたかの履歴によって、特定位置が変化するようにしている。
上側非可視部620及び下側非可視部630の反射光だけで役物本体510を見たときには、役物本体510が３個の特定位置、すなわち「上方位置」、「中間位置」、「下方位置」の順に段階的に移動しているように遊技者から見え、この状態を「見かけ上の新しい振動周期」という。図１７の（ｃ）の場合は、図１７の（ｂ）の場合との比較から明らか通り、役物本体510が「上方位置」、「中間位置」、「下方位置」の順にゆっくりと、すなわちスローモーション状態で振動しているように遊技者から見える。
【０１１７】
（見かけ上の新しい振動周期による演出の説明）
図１７の（ａ）に示す静止状態と、図１７の（ｃ）に示すスローモーション状態との２種類を使用した演出について説明する。
図２に示す役抽選手段210の抽選の結果、「ボーナス役」に当選すると、「ＲＢ」である第１特別状態と、「ＢＢ」である第２特別状態とのいずれの特別状態に移行するかを決定する。「ＲＢ」である第１特別状態に当選した場合には、その抽選結果が、図２に示すメイン制御手段200からサブ制御手段300に送信される。
【０１１８】
（移動制御手段331による制御）
サブ制御手段300の役物制御手段330は、メイン制御手段200から送信される役抽選手段210による抽選結果、「ボーナス役」に当選し、「ＲＢ」である第１特別状態か、「ＢＢ」である第２特別状態とのいずれの特別状態に移行するかを決定されている場合には、図４に示す移動制御手段331及び照明制御手段332に駆動信号を出力する。
移動制御手段331は、駆動信号を入力すると、モータである駆動源750を正逆回転させる。モータである駆動源750が正逆回転されると、ラック731とピニオン761とのかみ合いにより、移動体730が図６及び図１５に示す「Ｚ軸」方向に移動する。移動体730が図６及び図１５に示す「Ｚ軸」方向に移動すると、当該移動体730に板バネである弾性部材710に連結された役物本体510が慣性力により、「Ｘ軸」上の中心点を支点として「Ｚ軸」方向に回転することで振動を開始する。
【０１１９】
（照明制御手段332による制御）
また、照明制御手段332は、駆動信号を入力すると、上側光源820及び下側光源830を点滅させる。抽選結果が、「ＲＢ」である第１特別状態の当選の場合には、第１照明制御（例えば静止状態）が実行される。第１照明制御は、図１７の（ａ）に示す点滅タイミングで、上側光源820及び下側光源830の点滅を制御するものであり、振動中の役物本体510が見かけ上、静止して見える静止状態を実現するものである。
これに対し、抽選結果が、「ＢＢ」である第２特別状態の当選の場合には、第２照明制御（例えばスローモーション状態）が実行される。第２照明制御は、図１７の（ｃ）に示す点滅タイミングで、上側光源820及び下側光源830の点滅を制御するものであり、振動中の役物本体510が見かけ上、ゆっくり振動しているように見えるスローモーション状態を実現するものである。
なお、「ＲＢ」である第１特別状態の当選に、第１照明制御（例えば静止状態）を実行させ、「ＢＢ」である第２特別状態の当選に第２照明制御（例えばスローモーション状態）を実行させたが、これに限定されず、例えば第１特別状態の当選に第２照明制御を実行させ、第２特別状態の当選に第１照明制御を実行させてもよい。
【０１２０】
（外部の光による振動中の役物本体510の見え方）
遊技機10が設置されたホールの室内照明である外部の光による振動中の役物本体510の見え方について説明する。
外部の光の一つである室内照明から照射された照明光は、カバー600の中央に位置する可視部610を通って内部に入射し、照明光により振動中の役物本体510が照らし出される。その結果、遊技者は、役物本体510の上下方向の振動による振動周期による演出の全部を見ることができる。
このため、遊技者は、役物本体510が振動を開始したことにより、役抽選の結果、「ボーナス役」に当選したことを知ることができる。しかし、外部の光により役物本体510の上下方向の振動による振動周期による演出の全部を見ることができるため、上側光源820及び下側光源830の第１照明制御と第２照明制御との違いによる、振動中の役物本体510の見え方の違いを見ることを極めて困難である。このため、遊技者は、「ＲＢ」である第１特別状態と、「ＢＢ」である第２特別状態とのいずれの特別状態に当選したかどうかを知ることが非常に困難となる。
【０１２１】
（遊技者による外部の光の遮光）
遊技者がホールの室内照明等の外部の光を意図的に遮光した場合について説明する。
ここで、「意図的に遮光する」とは、光源である上側光源820及び下側光源830）により作り出された見かけ上の新しい振動周期による演出を見るために、役物装置90の周囲を遊技者が自らの意思で遮光するという意味である。
遊技者の両手の手のひらで、カバー600の中央に位置する可視部610の両側を包み隠すようにし、両手のひらの間にできた隙間に顔を近づけ、カバー600の内部を暗くすることで、可視部610を通って内部に入射される外部の光の光量を減光させることができる。
「ＲＢ」である第１特別状態に当選した場合、両手のひらの間にできた隙間から役物本体510を覗くと、図１７の（ａ）に示す点滅タイミングで点灯した反射光により、役物本体510の振動周期による演出の一部、すなわち特定位置の一つである中心位置を通過しているときだけ、役物本体510が見え、中心位置に静止しているように遊技者から見える。
このため、遊技者は、振動中の役物本体510が、見かけ上、静止状態に見えることから、「ＲＢ」である第１特別状態に当選したことを知ることができる。
【０１２２】
これに対し、「ＢＢ」である第２特別状態に当選した場合には、第２照明制御が実行される。第２照明制御は、図１７の（ｃ）に示す点滅タイミングで、上側光源820及び下側光源830の点滅を制御するものであり、振動中の役物本体510が、見かけ上、ゆっくり、すなわちスローモーション状態で振動しているように見える。このため、遊技者は、振動中の役物本体510が、見かけ上、スローモーション状態に見えることから、「ＢＢ」である第２特別状態に当選したことを知ることができる。
なお、遊技者がカバー600の可視部610を手で覆い、当該可視部610を通って内部に入射される外部の光の光量を減光させたが、これに限定されず、図示しないが、遊技者の操作により可視部610を機械的に狭くする機構、例えばスライド式や開閉式の扉を設けてもよい。例えば、遊技者が扉を可視部610に向かってスライドする等して、可視部610を狭め、可視部610を通って内部に入射される外部の光の光量を減光させるようにしてもよい。
【０１２３】
（外部の光が暗い場合）
外部の光の一例であるホールの室内照明が暗く、遊技者が照明光を意図的に遮蔽しない場合においても、上側光源820及び下側光源830の第１照明制御と第２照明制御との違いによる、振動中の役物本体510の見え方の違いが遊技者から見えてしまう場合も想定可能である。
この場合には、役物本体510の振動中に、図１に示す役物用照明装置81を点灯、或いは点滅させ、役物装置90の周囲を明るくし、室内照明の照明光を補い、外部の光の光量を増加させることができる。
遊技者が、役物用照明装置81の発光面を手で意図的に遮蔽したり、カバー600の可視部610を覆い隠したりすることで、役物用照明装置81から照射された光が役物用照明装置81の内部に入射する光を減光させることができる。
また、役物用照明装置81は、「発光素子」の一例であり、「発光素子」としては、演出用ランプ78（上部ランプ80）等を利用してもよく、役物用照明装置81と演出用ランプ78等とを併用してもよい。
【０１２４】
（振動と他の運動との関係）
役物本体510の機械的な動きとして、振動を例示したが、振動は往復運動の一つであり、往復運動としては、振動に限定されず、図示しないが、振り子のように揺動させたり、或いは役物本体510を直線や曲線に沿って往復移動させたりしてもよい。また、役物本体510の動き方としては、往復運動にも限定されず、図示しないが、回転運動や、方形の周囲を回るように周回移動させてよく、この場合には１周りすることが１周期となる。
このため、役物本体510の機械的な動きは、広義には一定の運動周期を持つ「周期運動」を含み、狭義には「振動」を意味する。
【０１２５】
（図１８及び図１９に示す本発明の第２の実施の形態の説明）
図１８及び図１９を用いて、本発明の第２の実施の形態について説明する。
本実施の形態は、いわゆる「ＡＴ機」（いわゆる「ＡＲＴ機」を含む。）であり、非ＡＴ状態である通常遊技中に、役抽選の結果により移行可能な２種類の特別状態を有し、当該抽選結果について役物装置90を用いて告知するようにしたものである。
【０１２６】
（図１８に示す遊技状態の説明）
遊技状態は、非ＡＴ状態である通常遊技と、ＡＴ状態である有利遊技とを有する。遊技状態は、図１９に示すメイン制御手段200とサブ制御手段300とにより共働して管理され、具体的にはメイン側共通制御手段 270及びサブ側共通制御手段 370により制御されている。
「ＡＴ状態」は、ストップスイッチ50の押し順や当選図柄等を遊技者に報知することによって役に係る図柄61の組み合わせを有効ライン86上に揃って停止させるためのアシストを実行する状態である。
「通常状態」は、非ＡＴ状態であり、大別すると、「普通遊技」と、いわゆる前兆遊技である「特別遊技」とがある。
「普通遊技」は、後述する「特別遊技」を除いた状態である。「普通遊技」においては、図１９に示すＡＴ抽選手段271による「ＡＴ抽選」と、特別遊技移行抽選手段272による「特別遊技」への「移行抽選」とが実行されている。
【０１２７】
「普通遊技」において、「ＡＴ抽選」に当選すると、「特別遊技」の後述する「第２特別状態」（いわゆる「本前兆」）を経由してＡＴ状態である「有利遊技」に進む。
これに対し、「普通遊技」において、「ＡＴ抽選」に非当選の状態で、「移行抽選」に当選すると、「特別遊技」の後述する「第１特別状態」（いわゆる「ガセ前兆」）に進む。
「特別遊技」は、「ガセ前兆」である「第１特別状態」と、「本前兆」である「第２特別状態」とを有し、「第２特別状態」の場合には「ＡＴ抽選」に当選し、ＡＴ状態である「有利遊技」に進むことができるので、遊技者に有利である。
「ガセ前兆」である「第１特別状態」の場合には、予め設定された所定数のゲームが実行され、当該ゲームの進行中に「ＡＴ抽選」が実行される。「第１特別状態」中に「ＡＴ抽選」に当選することなく、ゲームが終了すると、「普通遊技」に戻る。これに対し、「第１特別状態」中に「ＡＴ抽選」に当選した場合には「有利遊技」に進む。
「本前兆」である「第２特別状態」の場合には、予め設定された所定数のゲームが実行され、当該ゲームの終了後、「有利遊技」に進む。
「有利遊技」は、ＡＴ状態であり、予め決定されたゲーム数の間、実行され、終了後、「通常状態」の「普通遊技」に移行する。
【０１２８】
（図１９に示す遊技制御手段100の説明）
遊技制御手段100には、先に図２を用いて説明した構成を有するほか、メイン制御手段200には、メイン側共通制御手段 270を備え、又、サブ制御手段300には、サブ側共通制御手段 370を備える。
メイン側共通制御手段 270は、サブ側共通制御手段 370と共働して遊技状態を制御するものであり、ＡＴ抽選手段271、特別遊技移行抽選手段272を備える。
ＡＴ抽選手段271は、「通常遊技」（非ＡＴ状態）において、役抽選手段210による役抽選の結果にもとづいて、「有利遊技」（ＡＴ状態）に移行するか否かを「ＡＴ抽選」により決定するものである。「通常遊技」（非ＡＴ状態）の「普通遊技」において、ＡＴ抽選手段271による「ＡＴ抽選」に当選すると、当該「普通遊技」から、「特別遊技」の「本前兆」である「第２特別状態」を経由して「有利遊技」に移行する。
【０１２９】
特別遊技移行抽選手段272は、「通常遊技」（非ＡＴ状態）中の「普通遊技」において、役抽選手段210による役抽選の結果にもとづいて、前兆遊技である「特別遊技」に移行するか否かを「移行抽選」により決定するものである。特別遊技移行抽選手段272による「移行抽選」に当選すると、「普通遊技」から「特別遊技」の「ガセ前兆」である「第１特別状態」に移行する。
サブ側共通制御手段 370は、報知制御手段371を備える。
報知制御手段371は、メイン制御手段200側の役抽選手段210において当選した役抽選結果に、停止操作情報が設定されている場合に、当該停止操作情報、すなわち停止操作順序（押し順）を報知可能なものである。報知制御手段371は、演出装置70の主として画像表示装置84を用いて、３個のストップスイッチ50の押し順を遊技者に視覚的に報知している。
なお、画像表示装置84を用いて視覚的に報知したが、これに限定されず、演出用ランプ78を用いて視覚的に報知したり、スピーカー72を用いて聴覚的に報知するようにしたりしてもよく、これを併用してもよい。
【０１３０】
（役物装置90を用いた演出の説明）
「通常遊技」（非ＡＴ状態）中の「普通遊技」において、特別遊技移行抽選手段272による「移行抽選」の当選の場合には、サブ制御手段300側の照明制御手段332は、第１照明制御（例えば静止状態）を実行する。これに対し、「普通遊技」において、「ＡＴ抽選」に当選すると、照明制御手段332は、第２照明制御（例えばスローモーション状態）を実行する。
なお、「移行抽選」の当選時に、第１照明制御（例えば静止状態）を実行させ、「ＡＴ抽選」の当選時に、第２照明制御（例えばスローモーション状態）を実行させたが、これに限定されず、「移行抽選」の当選時に、第２照明制御（例えばスローモーション状態）を実行させ、「ＡＴ抽選」の当選時に、第１照明制御（例えば静止状態）を実行させてもよい。
遊技者が外部の光を意図的に遮蔽すると、振動中の役物本体510の見かけ上の新しい振動周期による演出を見ることができる。例えば、振動中の役物本体510が、見かけ上、静止状態に見えた場合には、「移行抽選」に当選したが、「ＡＴ抽選」には非当選であり、「ガセ前兆」である「第１特別状態」に移行することを知ることができる。これに対し、振動中の役物本体510が、見かけ上、スローモーションに見えた場合には、「ＡＴ抽選」に当選し、「本前兆」である「第２特別状態」に移行することを知ることができる。
【０１３１】
（実施の形態の補足的な説明）
上記実施の形態は、以下の技術思想を包含する特徴点を含むものである。
なお、カッコ内の符号は、発明の実施の形態において用いた符号を示し、本発明の技術的範囲を限定するものではない。
（１）第１の特徴点
（１−１）第１の特徴点の構成
第１の特徴点は、次の通りである。
第１に、遊技機(10)の筐体(12)の前面に取り付けられ、前記遊技機(10)による遊技の進行に連動して機械的な動きする役物装置(90)を備えた遊技機(10)である。
第２に、前記役物装置(90)は、（１）往復動可能な移動体(730)と、（２）前記移動体(730)に弾性部材(710)を介して振動可能に連結された役物（例えば役物本体510）と、（３）前記役物（例えば役物本体510）を照明可能な光源（例えば上側光源820及び下側光源830）と、を備える。
第３に、前記移動体(730)を往復動させることで、前記弾性部材(710)を介して前記役物（例えば役物本体510）を振動させるとともに、前記役物（例えば役物本体510）の振動中に、振動周期に関連付けて前記光源（例えば上側光源820及び下側光源830）を点滅させることで、振動中の前記役物（例えば役物本体510）の振動状態の一部を遊技者に視認可能としている。
【０１３２】
（１−２）第１の特徴点と実施の形態との対応関係
第１の特徴点と実施の形態との対応関係は、次の通りである。
ここで、「機械的な動き」とは、「機械」を使用した機構を意味し、単に液晶等の表示画面上の動きでないことを意味する。
ここで、「往復動可能な移動体(730)」として、例えばラック(731)とピニオン(761)を利用し、移動体(730)を例えば上下動可能させている。
ここで、「弾性部材(710)」として、例えば「板バネ」を使用し、当該板バネを支点として役物（例えば役物本体510）を上下方向に振動させている。
ここで、「光源」として、例えばＬＥＤである「上側光源820」と、「下側光源830」の計２個の光源を用いている。
ここで、「振動周期に関連付けて前記光源（例えば上側光源820及び下側光源830）を点滅させる」としては、例えば図１７に示すように、「振動周期」の１周期や、１周期の１／２である半周期、或いは１／４周期に関連付けて、光源（例えば上側光源820及び下側光源830）の点滅タイミングを決定するという意味である。
ここで、「振動状態の一部」とは、「振動状態の全部」で無いという意味である。
【０１３３】
（１−３）第１の特徴点のバリエーション
第１の特徴点のバリエーションも、次の通りである。
ここで、「往復動」として、上下動を例示したが、これに限定されず、例えば左右方向に移動させてもよい。また、ラック(731)とピニオン(761)を利用して、移動体(730)を移動させたが、これに限定されず、例えばベルト機構を利用して移動体(730)を移動させてもよい。
ここで、「弾性部材(710)」として、「板バネ」を使用したが、これに限定されず、例えばコイルスプリングやゴム等を使用してもよい。また、振動方向として、上下方向を例示したが、これに限定されず、例えば左右方向に振動させてもよい。
ここで、「光源」として、ＬＥＤである「上側光源820」と、「下側光源830」の計２個の光源を例示したが、光源の個数は単数でもよいし、或いは３個以上でもよい。また、「光源」として、ＬＥＤを例示したが、これに限定されず、電球や蛍光灯等を用いてもよい。
ここで、「振動周期に関連付けて前記光源（例えば上側光源820及び下側光源830）を点滅させる」としては、１周期や半周期、或いは１／４周期を例示したが、これに限定されず、周期を更に細かく細分化し、光源（例えば上側光源820及び下側光源830）の点滅タイミングを決定するようにしてもよい。
【０１３４】
（１−４）第１の特徴点の作用効果
第１の特徴点の作用効果は、次の通りである。
すなわち、第１の特徴点によれば、役物の振動中に、振動周期に関連付けて光源を点滅させ、振動中の役物の振動状態の一部を遊技者に視認可能とすることで、役物の振動周期を変えることなく、多様な演出を遊技者に見せることができる。
【０１３５】
（２）第２の特徴点
（２−１）第２の特徴点の構成
第２の特徴点は、上記した第１の特徴点に加え、次の通りである。
すなわち、前記移動体(730)の移動方向（例えば図１５の「Ｚ軸」方向）と、前記役物（例えば役物本体510）の振動方向（例えば「Ｘ軸」を中心軸とした回転方向）で同じベクトル成分（例えば「Ｚ軸」方向の成分）と、異なるベクトル成分（例えば「Ｙ軸」方向の成分）を持たせた。
【０１３６】
（２−２）第２の特徴点と実施の形態との対応関係
第２の特徴点と実施の形態との対応関係は、次の通りである。
ここで、「移動体(730)の移動方向」としては、例えば図１５の「Ｚ軸」方向のベクトル成分を持つ。
ここで、「役物（例えば役物本体510）の振動方向」は、分解すると、例えば図１５の「Ｚ軸」方向のベクトル成分と、「Ｙ軸」方向のベクトル成分を持つ。
ここで、「同じベクトル成分」としては、例えば図１５の「Ｚ軸」方向のベクトル成分が相当する。
ここで、「異なるベクトル成分」としては、例えば図１５の「Ｙ軸」方向のベクトル成分が相当する。
【０１３７】
（２−３）第２の特徴点の作用効果
第２の特徴点は、上記した第１の特徴点の作用効果に加え、次のような作用効果を奏する。
すなわち、第２の特徴点によれば、移動体の移動方向と役物の振動方向とを異ならせ、移動体を移動させることで、役物を効率良く振動させることができる。
【０１３８】
（３）第３の特徴点
（３−１）第３の特徴点の構成
第３の特徴点は、上記した第１の特徴点又は第２の特徴点に加え、次の通りである。
第１に、前記光源（例えば上側光源820及び下側光源830）の前方には、当該光源（例えば上側光源820及び下側光源830）から照射された照射光を前記役物（例えば役物本体510）に向かって反射可能な反射部（例えばカバー600の上側非可視部620及び下側非可視部630）を配置している。
第２に、前記役物（例えば役物本体510）の振動状態の一部を遊技者に視認可能とする演出は、前記役物装置(90)内の光源（例えば上側光源820及び下側光源830）のうち、前記反射部（例えばカバー600の上側非可視部620及び下側非可視部630可視部）を照射する光源（例えば上側光源820及び下側光源830）のみを点滅することで実現するようにしている。
【０１３９】
（３−２）第３の特徴点と実施の形態との対応関係
第３の特徴点と実施の形態との対応関係は、次の通りである。
ここで、「光源（例えば上側光源820及び下側光源830）の前方」は、遊技機(10)の筐体(12)の「前面」方向、すなわち遊技者に向かう方向を意味する。
ここで、「反射部」として、例えば役物装置(90)の前面を覆う「カバー600」を利用し、その「光源」と対向する内面に形成された「上側非可視部620」と「下側非可視部630」との２個の非可視部を、「光源」からの照射光を反射する反射面として使用している。
ここで、「光源（例えば上側光源820及び下側光源830）のみ」とは、仮に役物装置(90)内に「光源（例えば上側光源820及び下側光源830）」以外の光源、例えば役物（例えば役物本体510）を透過する「中央光源810」があった場合に、当該「中央光源810」は除くという意味である。
【０１４０】
（３−３）第３の特徴点のバリエーション
第３の特徴点のバリエーションは、次の通りである。
ここで、「反射部」として、「カバー600」を例示したが、これに限定されず、例えば「カバー600」の内部に「反射部」を別に設けてもよい。また、「反射部」として、「上側非可視部620」と「下側非可視部630」との２個の非可視部を例示したが、これに限定されず、単数でもよいし、或いは３個以上としてもよい。
ここで、「光源（例えば上側光源820及び下側光源830）のみ」として、当該「光源（例えば上側光源820及び下側光源830）」以外の「中央光源810」があった場合を例示したが、これに限定されず、「中央光源810」が無くともよいし、或いは他の光源が内蔵されている場合であってもよい。
【０１４１】
（３−４）第３の特徴点の作用効果
第３の特徴点は、上記した第１の特徴点又は第２の特徴点の作用効果に加え、次のような作用効果を奏する。
すなわち、第３の特徴点によれば、光源から照射された照射光を、反射部を介して役物に向かって反射させ、当該光源のみを点滅することで、光源からの照射光を役物に直接、照射する場合に比較し、光量を減光でき、振動中の役物の振動状態の一部を遊技者に視認可能とするのに適切な光量を得ることができる。
【０１４２】
（４）第４の特徴点
（４−１）第４の特徴点の構成
第４の特徴点は、上記した第１〜第３の特徴点のいずれか一つの特徴点に加え、次の通りである。
すなわち、前記役物（例えば役物本体510）は、前記筐体(12)の前面から前方に突出し、外部の光を反射可能に配置されている。
【０１４３】
（４−２）第４の特徴点と実施の形態との対応関係
第４の特徴点と実施の形態との対応関係は、次の通りである。
ここで、「外部の光」としては、例えば遊技機(10)が設置されたホールの室内照明がある。
【０１４４】
（４−３）第４の特徴点のバリエーション
第４の特徴点のバリエーションは、次の通りである。
ここで、「外部の光」としては、ホールの室内照明を例示したが、これに限定されず、自機である「遊技機(10)」の電飾のほか、他機の電飾、或いは自然光でもよい。
【０１４５】
（４−４）第４の特徴点の作用効果
第４の特徴点は、上記した第１〜第３の特徴点のいずれか一つの特徴点の作用効果に加え、次のような作用効果を奏する。
すなわち、第４の特徴点によれば、役物を筐体の前面から前方に突出させ、外部の光を反射可能とすることで、外部の光と光源からの照射光との２種類の光を利用し、多様な演出を遊技者に見せることができる。
【０１４６】
（５）第５の特徴点
（５−１）第５の特徴点の構成
第５の特徴点は、上記した第１〜第４の特徴点のいずれか一つの特徴点に加え、次の通りである。
第１に、前記遊技機(10)には、前記光源（例えば上側光源820及び下側光源830）の点滅タイミングを制御する照明制御手段(332)を備える。
第２に、前記照明制御手段(332)は、前記役物（例えば役物本体510）が振動中の特定位置にあるときに光源（例えば上側光源820及び下側光源830）が点灯するように点滅周期を制御することで、見かけ上の新しい振動周期による演出を遊技者に視認可能とするようにしている。
【０１４７】
（５−２）第５の特徴点と実施の形態との対応関係
第５の特徴点と実施の形態との対応関係は、次の通りである。
ここで、「特定位置」は、例えば役物（例えば役物本体510）が上下に振動する場合に、例えば図１５の（ａ）に示す上方側に揺動した状態、（ｂ）に示す上方側より下方に揺動した状態、（ｃ）に示す正面を向いた状態、（ｄ）に示す正面から下方に揺動した状態、（ｅ）に示す下方に揺動した状態のいずれか少なくとも１つの位置をいう。
ここで、「見かけ上の新しい振動周期」としては、役物（例えば役物本体510）の振動周期による演出の全部が見える状態に対し、振動周期の一部である「特定位置」にあるときに光源（例えば上側光源820及び下側光源830）を点灯させ、振動周期による演出の一部が見えるようにすることで、役物（例えば役物本体510）が「静止状態」に見えたり、或いは「スローモーション状態」で振動しているように見えたりする状態をいう。
【０１４８】
（５−３）第５の特徴点のバリエーション
第５の特徴点のバリエーションは、次の通りである。
ここで、「特定位置」として、少なくとも１つの位置を例示したが、これに限定されず、複数の位置を特定位置としてもよい。
ここで、「見かけ上の新しい振動周期」としては、「静止状態」や「スローモーション状態」を例示したが、これに限定されず、例えば「スローモーション状態」に「低速」と「超低速」等のように速度に変化を持たせてもよい。
【０１４９】
（５−４）第５の特徴点の作用効果
第５の特徴点は、上記した第１〜第４の特徴点のいずれか一つの特徴点の作用効果に加え、次のような作用効果を奏する。
すなわち、第５の特徴点によれば、役物が振動中の特定位置にあるときに光源が点灯するように点滅周期を制御することで、見かけ上の新しい振動周期による演出を遊技者に視認可能とし、役物の振動周期を変えることなく、見かけ上の新しい振動周期による演出を遊技者に見せることができる。
【０１５０】
（６）第６の特徴点
（６−１）第６の特徴点の構成
第６の特徴点は、上記した第５の特徴点に加え、次の通りである。
第１に、前記役物装置(90)内に入射される外部光により、振動中の前記役物（例えば役物本体510）の振動状態の全部が遊技者から見えるようにしている。
第２に、前記役物装置(90)の周囲を遊技者が遮光し、前記役物装置(90)内に入射される外部光を減光できるようにしている。
第３に、遊技者が意図的に遮光することで、振動中の前記役物（例えば役物本体510）の振動状態の一部のみを遊技者に視認可能とすることにより、前記光源（例えば上側光源820及び下側光源830）により作り出された見かけ上の新しい振動周期による演出を遊技者が視認できるようにしている。
【０１５１】
（６−２）第６の特徴点と実施の形態との対応関係
第６の特徴点と実施の形態との対応関係は、次の通りである。
ここで、「役物装置(90)の周囲を遊技者が遮光し、」としては、例えば遊技者の両手の手のひらで、役物装置(90)の周囲を包み隠すようにし、両手のひらの間にできた隙間に顔を近づけて、ホールの室内照明等の外部光が役物装置(90)の内部に入射されるのを遮ることを意味する。
ここで、「遊技者が意図的に遮光する」とは、光源（例えば上側光源820及び下側光源830）により作り出された見かけ上の新しい振動周期による演出を見るために、役物装置(90)の周囲を遊技者が自らの意思で遮光するという意味である。
ここで、「振動中の前記役物（例えば役物本体510）の振動状態の一部のみを遊技者に視認可能とすることにより、」としては、先の例を用いて説明すると、両手のひらの間にできた隙間に目を近づけ、振動中の役物（例えば役物本体510）の振動状態を見たときに、光源（例えば上側光源820及び下側光源830）が点灯したときのみ、役物（例えば役物本体510）が見え、当該見える状態が役物（例えば役物本体510）の振動状態の全部に対し、一部であるという意味である。
ここで、「前記光源（例えば上側光源820及び下側光源830）により作り出された見かけ上の新しい振動周期による演出」としては、振動中の役物（例えば役物本体510）が、例えば「静止状態」に見えたり、或いは「スローモーション状態」で振動しているように見えたりする状態を「演出」の一つとして使用するという意味である。
【０１５２】
（６−３）第６の特徴点のバリエーション
第６の特徴点のバリエーションは、次の通りである。
ここで、「役物装置(90)の周囲を遊技者が遮光し、」として、遊技者の両手の手のひらによる遮光を例示したが、これに限定されず、例えばハンカチ等の道具を使用して遮光させてもよい。
ここで、「前記光源（例えば上側光源820及び下側光源830）により作り出された見かけ上の新しい振動周期による演出」としては、「静止状態」や「スローモーション状態」の「演出」を例示したが、これに限定されない。
【０１５３】
（６−４）第６の特徴点の作用効果
第６の特徴点は、上記した第５の特徴点の作用効果に加え、次のような作用効果を奏する。
すなわち、第６の特徴点によれば、外部光により、振動中の役物の振動状態の全部が遊技者から見えるようにし、遊技者が役物装置の周囲を意図的に遮光し、光源により作り出された見かけ上の新しい振動周期による演出を遊技者が視認できるようにすることで、外部光により、振動中の役物の振動状態の全部が見える演出に加え、光源による見かけ上の新しい振動周期による演出との二種の演出を遊技者に見せることができる。
すなわち、第６の特徴点によれば、周囲の他の遊技者からは光源による演出が見えず、又、遊技者が意図的に遮光した場合に限り見えるようにしているので、遊技者の参加意識を向上することができるばかりなく、遊技者に優越感を与えることができる。
【０１５４】
（７）第７の特徴点
（７−１）第７の特徴点の構成
第７の特徴点は、上記した第１〜第６の特徴点のいずれか一つの特徴点に加え、次の通りである。
第１に、前記遊技機(10)には、前記光源（例えば上側光源820及び下側光源830）の点滅タイミングを制御する照明制御手段(332)を備える。
第２に、前記照明制御手段(332)は、前記役物（例えば役物本体510）の振動の半周期の整数倍の周期で前記光源（例えば上側光源820及び下側光源830）の点滅を実行する第１照明制御（例えば静止状態）と、前記役物（例えば役物本体510）の振動の半周期の非整数倍の周期で前記光源（例えば上側光源820及び下側光源830）の点滅を実行する第２照明制御（例えばスローモーション状態）とが実行可能である。
【０１５５】
（７−２）第７の特徴点と実施の形態との対応関係
第７の特徴点と実施の形態との対応関係は、次の通りである。
ここで、「前記役物（例えば役物本体510）の振動の半周期」は、例えば図１７に示す「１周期」の１／２の周期である。「１周期」は、「Ｔ２〜Ｔ６」迄をいい、役物本体510が中心位置（Ｔ２）から下方位置（Ｔ３）及び上方位置（Ｔ５）を経て、中心位置（Ｔ６）に戻って来るまでの一連の動きをいう。役物本体510の中心位置は、例えば図１５の（ｃ）の状態、下方位置は（ｅ）の状態、上方位置は（ａ）の状態をいう。
ここで、「半周期の整数倍」としては、例えば図１７の（ａ）に示す「静止状態の一例」の通りである。「静止状態の一例」では、「半周期」の「１倍」となり、「Ｔ２、Ｔ４、Ｔ６、Ｔ８」の順に点滅する。その結果、振動中の役物本体510が中心位置を通過したときにしか見えず、遊技者からは、役物本体510が中心位置に見かけ上、静止しているように見える。
ここで、「半周期の非整数倍」としては、例えば図１７の（ｃ）に示す「スローモーション状態の一例」の通りである。「スローモーション状態の一例」では、「半周期」の「１．５倍」となり、「Ｔ１、Ｔ４、Ｔ７」の順に点滅する。その結果、振動中の役物本体510が上方位置を基準とすると、遊技者からは、上方位置、中心位置、下方位置の順に見かけ上、ゆっくりと、すなわちスローモーション状態で振動しているように見える。
【０１５６】
（７−３）第７の特徴点のバリエーション
第７の特徴点のバリエーションは、次の通りである。
ここで、「半周期の整数倍」としては、図１７の（ａ）に示す「１倍」を例示したが、これに限定されず、例えば「２倍」、「３倍」或いは「４倍」以上としてもよい。
ここで、「半周期の非整数倍」としては、例えば図１７の（ｃ）に示す「１．５倍」を例示したが、これに限定されず、「０．２５」（１／４倍）、「０．５」（２／４倍）、「０．７５倍」（３／４）のように細かく区切ってもよいし、或いは「１．５倍」より大きな「非整数倍」としてもよい。
【０１５７】
（７−４）第７の特徴点の作用効果
第７の特徴点は、上記した第１〜第６の特徴点のいずれか一つの特徴点の作用効果に加え、次のような作用効果を奏する。
すなわち、第７の特徴点によれば、役物の振動の半周期の整数倍の周期で光源の点滅を実行する第１照明制御と、非整数倍の周期で光源の点滅を実行する第２照明制御とを実行することで、光源により作り出された見かけ上の新しい振動周期を少なくとも２種類、作り出すことができる。
すなわち、第７の特徴点によれば、第１照明制御により、振動中の役物が見かけ上、静止したかのように見せることができ、第２照明制御により、振動中の役物が見かけ上、ゆっくりと、すなわちスローモーション状態で振動しているように見せることができる。
【０１５８】
（８）第８の特徴点
（８−１）第８の特徴点の構成
第８の特徴点は、上記した第１〜第７の特徴点のいずれか一つの特徴点に加え、次の通りである。
すなわち、前記役物装置(90)の周囲を遊技者が遮光できるようにし、遊技者が意図的に外部の光により前記役物（例えば役物本体510）を照明する外部光を遮光することで、前記光源（例えば上側光源820及び下側光源830）により前記役物（例えば役物本体510）を照明する内部照明光による前記役物（例えば役物本体510）の振動状態の一部を遊技者に視認可能とする演出を遊技者が視認できるようにしている。
【０１５９】
（８−２）第８の特徴点と実施の形態との対応関係
第８の特徴点と実施の形態との対応関係は、次の通りである。
ここで、「前記役物装置(90)の周囲を遊技者が遮光できるようにし、」として、第４の特徴点で説明したように、「前記役物（例えば役物本体510）は、前記筐体(12)の前面から前方に突出し、外部の光を反射可能に配置されている。」という構成を採用している。
【０１６０】
（８−３）第８の特徴点のバリエーション
第８の特徴点のバリエーションは、次の通りである。
ここで、「前記役物装置(90)の周囲を遊技者が遮光できるようにし、」として、第４の特徴点で説明したように、「前記役物（例えば役物本体510）は、前記筐体(12)の前面から前方に突出し、」という構成を例示したが、これに限定されず、例えば役物（例えば役物本体510）は筐体(12)の前面から前方に突出させずに、役物装置(90)の「カバー600」だけを筐体(12)の前面から前方に突出させてもよい。
【０１６１】
（８−４）第８の特徴点の作用効果
第８の特徴点は、上記した第１〜第７の特徴点のいずれか一つの特徴点の作用効果に加え、次のような作用効果を奏する。
すなわち、第８の特徴点によれば、役物装置の周囲を遊技者が遮光できるようにすることで、遊技者の遮光の容易化を図ることができる。
【０１６２】
（９）第９の特徴点
（９−１）第９の特徴点の構成
第９の特徴点は、上記した第８の特徴点に加え、次の通りである。
第１に、前記筐体(12)には、前記光源（例えば上側光源820及び下側光源830）とは異なる発光素子（例えば役物用照明装置81）を設けている。
第２に、前記発光素子（例えば役物用照明装置81）を点灯させることで、前記外部光の光量を増加させることができるようにしている。
【０１６３】
（９−２）第９の特徴点と実施の形態との対応関係
第９の特徴点と実施の形態との対応関係は、次の通りである。
ここで、「前記光源（例えば上側光源820及び下側光源830）とは異なる発光素子」としては、例えば図１に示す役物用照明装置(81)を設けている。
）演出用ランプ(78)、上部ランプ(80)等を筐体(12)に設けている。演出用ランプ(78)、上部ランプ(80)等は、筐体(12)から前方に突出していることから、これらからの光が外部光として役物装置(90)内に入射する可能性がある。
ここで、「前記発光素子を点灯させる」には、発光素子を点灯させる場合のほか、点滅させる場合を含むものである。
【０１６４】
（９−３）第９の特徴点のバリエーション
第９の特徴点のバリエーションは、次の通りである。
ここで、「前記光源（例えば上側光源820及び下側光源830）とは異なる発光素子」としては、役物用照明装置(81)を例示したが、これに限定されず、例えば図１に示す演出用ランプ(78)（上部ランプ(80)）等を使用してもよく、役物用照明装置(81)と演出用ランプ(78)等とを併用してもよい。なお、演出用ランプ(78)やその上部ランプ(80)等は、筐体(12)から前方に突出していることから、これらからの光が外部光として役物装置(90)内に入射する可能性がある。
【０１６５】
（９−４）第９の特徴点の作用効果
第９の特徴点は、上記した第８の特徴点の作用効果に加え、次のような作用効果を奏する。
すなわち、第９の特徴点によれば、筐体に光源とは異なる発光素子を設け、外部光の光量を増加させることで、ホール環境等の外光に依存せず、外部光による演出（振動全部）と光源による演出（振動一部）とを切り分けることができる。
【符号の説明】
【０１６６】
（第１の実施の形態）
10  遊技機                    12  筐体
14  前扉                      16  図柄表示窓部
20  上パネル
22  下パネル                  24  払出手段
26  メダル受け皿              28  メダル払出口
30  操作部                    32  ベットスイッチ
34  マックスベットスイッチ    35  シングルベットスイッチ
36  精算スイッチ              38  メダル投入口
40  スタートスイッチ
50  ストップスイッチ          Ｌ  左ストップスイッチ
Ｃ  中ストップスイッチ        Ｒ  右ストップスイッチ
60  リールユニット
61  図柄                      62  回転リール
64  左リール                  66  中リール
68  右リール                  70  演出装置
72  スピーカー                74  上部スピーカー
76  下部スピーカー            78  演出用ランプ
80  上部ランプ                81  役物用照明装置
82  下部ランプ
84  画像表示装置              86  有効ライン
90  役物装置                   100  遊技制御手段
200  メイン制御手段            210  役抽選手段
220  リール制御手段            230  停止図柄判定手段
240  遊技状態制御手段          241  普通遊技制御手段
242  ボーナス内部中制御手段    243  特別遊技制御手段
243a  第１特別状態制御手段     243b  第２特別状態制御手段
244  特殊遊技制御手段
250  払出制御手段              260  送信制御手段
300  サブ制御手段              310  受信制御手段
320  演出制御手段              330  役物制御手段
331  移動制御手段              332  照明制御手段
340  表示制御手段              350  ランプ制御手段
360  音声制御手段              400  装置本体
500  役物ユニット              510  役物本体
520  ベース                    530  ガイド
540  遮光板                    541  開口部
600  カバー                    610  可視部
620  上側非可視部              630  下側非可視部
700  振動機構                  710  弾性部材
720  移動装置                  730  移動体
731  ラック                    732  シャフト受け
740  シャフト                  750  駆動源
760  歯車機構                  761  ピニオン
770  移動位置検出装置          771  検出片
772  下側検出部                773  上側検出部
780  コイルスプリング
800  照明装置                  810  中央光源
820  上側光源                  830  下側光源
（第２の実施の形態）
270  メイン側共通制御手段       271  ＡＴ抽選手段
272  特別遊技移行抽選手段
370  サブ側共通制御手段         371  報知制御手段
【図１】
2017131513.tif 000003
【図２】
2017131513.tif 000004
【図３】
2017131513.tif 000005
【図４】
2017131513.tif 000006
【図５】
2017131513.tif 000007
【図６】
2017131513.tif 000008
【図７】
2017131513.tif 000009
【図８】
2017131513.tif 000010
【図９】
2017131513.tif 000011
【図１０】
2017131513.tif 000012
【図１１】
2017131513.tif 000013
【図１２】
2017131513.tif 000014
【図１３】
2017131513.tif 000015
【図１４】
2017131513.tif 000016
【図１５】
2017131513.tif 000017
【図１６】
2017131513.tif 000018
【図１７】
2017131513.tif 000019
【図１８】
2017131513.tif 000020
【図１９】
2017131513.tif 000021
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
遊技機の筐体の前面に取り付けられ、前記遊技機による遊技の進行に連動して機械的な動きする役物装置を備えた遊技機において、
前記役物装置は、
往復動可能な移動体と、
前記移動体に弾性部材を介して振動可能に連結された役物と、
前記役物を照明可能な光源と、を備え、
前記移動体を往復動させることで、前記弾性部材を介して前記役物を振動させるとともに、
前記役物の振動中に、振動周期に関連付けて前記光源を点滅させることで、振動中の前記役物の振動状態の一部を遊技者に視認可能とし、
前記光源において、前記遊技機から遊技者の手前側に向かう方向である前方には、
当該光源から照射された照射光を前記役物に向かって反射可能な反射部を配置し、前記役物の振動状態の一部を遊技者に視認可能とする演出は、前記役物装置内の光源のうち、前記反射部を照射する光源のみを点滅することで実現するようにするとともに、
前記前方を覆い、内部に前記役物が振動可能に配置されるカバーを配置し、
前記カバーには、
中央部に位置し、前記役物の振動状態が視認可能なように透明に形成された可視部と、
前記可視部に隣接し、非透明に形成され、内面に前記反射部を有する一対の非可視部を有する、ことを特徴とする遊技機。
【請求項２】
前記移動体の移動方向と、前記役物の振動方向で同じベクトル成分と、異なるベクトル成分を持たせた、ことを特徴とする請求項１に記載の遊技機。
【請求項３】
前記役物は、
前記筐体の前面から前方に突出し、外部の光を反射可能に配置されている、ことを特徴とする請求項１又は請求項２に記載の遊技機。
【請求項４】
前記遊技機には、
前記光源の点滅タイミングを制御する照明制御手段を備え、
前記照明制御手段は、
前記役物が振動中の特定位置にあるときに光源が点灯するように点滅周期を制御することで、見かけ上の新しい振動周期による演出を遊技者に視認可能とする
ようにしている、ことを特徴とする請求項１〜３のいずれか１項に記載の遊技機。
【請求項５】
前記役物装置内に入射される外部光により、振動中の前記役物の振動状態の全部が遊技者から見えるようにし、
前記役物装置の周囲を遊技者が遮光し、前記役物装置内に入射される外部光を減光できるようにし、
遊技者が意図的に遮光することで、振動中の前記役物の振動状態の一部のみを遊技者に視認可能とすることにより、前記光源により作り出された見かけ上の新しい振動周期による演出を遊技者が視認できるようにしている、ことを特徴とする請求項４に記載の遊技機。
【請求項６】
前記遊技機には、
前記光源の点滅タイミングを制御する照明制御手段を備え、
前記照明制御手段は、
前記役物の振動の半周期の整数倍の周期で前記光源の点滅を実行する第１照明制御と、
前記役物の振動の半周期の非整数倍の周期で前記光源の点滅を実行する第２照明制御とが実行可能である、ことを特徴とする請求項１〜５のいずれか１項に記載の遊技機。
【請求項７】
前記役物装置の周囲を遊技者が遮光できるようにし、遊技者が意図的に外部の光により前記役物を照明する外部光を遮光することで、前記光源により前記役物を照明する内部照明光による前記役物の振動状態の一部を遊技者に視認可能とする演出を遊技者が視認できるようにしている、ことを特徴とする請求項１〜６のいずれか１項に記載の遊技機。
【請求項８】
前記筐体には、前記光源とは異なる発光素子を設け、
前記発光素子を点灯させることで、前記外部光の光量を増加させることができるようにし、
前記発光素子の点灯時には、前記外部光により、振動中の前記役物の振動状態の全部が遊技者から見えるようにし、
前記発光素子は、前記役物装置に隣接して位置し、当該役物装置の動作時に連動して点灯し、当該役物装置の周囲を照明するものである、ことを特徴とする請求項７に記載の遊技機。
【手続補正２】
【補正対象書類名】明細書
【補正対象項目名】００１５
【補正方法】変更
【補正の内容】
【００１５】
なお、カッコ内の符号は、発明の実施の形態において用いた符号を示し、本発明の技術的範囲を限定するものではない。
本発明に係る遊技機は、遊技機(10)の筐体(12)の前面に取り付けられ、前記遊技機(10)による遊技の進行に連動して機械的な動きする役物装置(90)を備えた遊技機(10)において、前記役物装置(90)は、往復動可能な移動体(730)と、前記移動体(730)に弾性部材(710)を介して振動可能に連結された役物（例えば役物本体510）と、前記役物（例えば役物本体510）を照明可能な光源（例えば上側光源820及び下側光源830）と、を備え、前記移動体(730)を往復動させることで、前記弾性部材(710)を介して前記役物（例えば役物本体510）を振動させるとともに、前記役物（例えば役物本体510）の振動中に、振動周期に関連付けて前記光源（例えば上側光源820及び下側光源830）を点滅させることで、振動中の前記役物（例えば役物本体510）の振動状態の一部を遊技者に視認可能としている、ことを特徴とする。
これに加え、前記光源（例えば上側光源820及び下側光源830）において、前記遊技機(10)から遊技者の手前側に向かう方向である前方には、当該光源（例えば上側光源820及び下側光源830）から照射された照射光を前記役物（例えば役物本体510）に向かって反射可能な反射部（例えばカバー600の上側非可視部620及び下側非可視部630）を配置し、前記役物（例えば役物本体510）の振動状態の一部を遊技者に視認可能とする演出は、前記役物装置(90)内の光源（例えば上側光源820及び下側光源830）のうち、前記反射部（例えばカバー600の上側非可視部620及び下側非可視部630可視部）を照射する光源（例えば上側光源820及び下側光源830）のみを点滅することで実現するようにしている、ことを特徴とする。
さらに、前記光源（例えば上側光源820及び下側光源830）の前記前方には、当該前方を覆い、内部に前記役物（例えば役物本体510）が振動可能に配置されるカバー(600)を配置し、前記カバー(600)には、中央部に位置し、前記役物（例えば役物本体510）の振動状態が視認可能なように透明に形成された可視部(610)と、前記可視部(610)に隣接し、非透明に形成され、内面に前記反射部を有する一対の非可視部(620,630)を有する、ことを特徴とする。
かかる構成にあっては、役物の振動中に、振動周期に関連付けて光源を点滅させ、振動中の役物の振動状態の一部を遊技者に視認可能とすることで、役物の振動周期を変えることなく、多様な演出を遊技者に見せることができるという効果がある。
さらに、かかる構成にあっては、光源から照射された照射光を、反射部を介して役物に向かって反射させ、当該光源のみを点滅することで、光源からの照射光を役物に直接、照射する場合に比較し、光量を減光でき、振動中の役物の振動状態の一部を遊技者に視認可能とするのに適切な光量を得ることができるという効果がある。
【手続補正３】
【補正対象書類名】明細書
【補正対象項目名】００１７
【補正方法】削除
【補正の内容】
【手続補正４】
【補正対象書類名】明細書
【補正対象項目名】００２３
【補正方法】変更
【補正の内容】
【００２３】
また、本発明に係る遊技機の具体例としては、さらに、前記筐体(12)には、前記光源（例えば上側光源820及び下側光源830）とは異なる発光素子（例えば役物用照明装置81）を設け、前記発光素子（例えば役物用照明装置81）を点灯（例えば点滅を含む。）させることで、前記外部光の光量を増加させることができるようにしている、ことを特徴とする。
これに加え、前記発光素子（例えば役物用照明装置81）の点灯時には、前記外部光により、振動中の前記役物（例えば役物本体510）の振動状態の全部が遊技者から見えるようにし、前記発光素子（例えば役物用照明装置81）は、前記役物装置(90)に隣接して位置し、当該役物装置(90)の動作時に連動して点灯し、当該役物装置(90)の周囲を照明するものである、ことを特徴とする。
かかる構成にあっては、筐体に光源とは異なる発光素子を設け、外部光の光量を増加させることで、ホール環境等の外光に依存せず、外部光による演出（振動全部）と光源による演出（振動一部）とを切り分けることができるという効果がある。